(57)【要約】      （修正有）【課題】快適性、感触の改良された、車両用シートの提供。【解決手段】シートエレメント３００は、Ａ−表面３０５と、Ａ−表面３０５に対向するＢ−表面３１０とを備える。Ａ−表面は、相対的にテクスチャが付いていない。シートエレメント３００は、発泡体基材３１５を備える。発泡体基材３１５は、キャビティー３２０を備え、キャビティー３２０は、テクスチャの付いた内部表面３２５から構成されており、テクスチャの付いた内部表面３２５は、テクスチャの付いていない内部表面３３０に対して離隔した関係にある。テクスチャの付いた内部表面３２５は、一連のピーク部３２７と谷底部３２９とから構成されている。この点に関して、使用される表現法では、「ピーク部」は、キャビティー３２０の中へ方向付けられ、一方、「谷底部」は、キャビティー３２０から離れる方向に方向付けられる。【選択図】図７
2018075366.tif 000002
【特許請求の範囲】
【請求項１】
発泡体基材を備えるパッド付きエレメントであって、前記発泡体基材は、その中に配設されている第１の内部表面と、前記第１の内部表面に対向する第２の内部表面とを有しており、前記第１の内部表面は、前記発泡体基材の外側表面と前記第２の内部表面との間に置かれており、前記第１の内部表面および前記第２の内部表面のうちの少なくとも１つが、テクスチャの付いた部分を備える、パッド付きエレメント。
【請求項２】
前記第１の内部表面が、テクスチャの付いた部分を備え、前記第２の内部表面が、実質的にテクスチャが付いていない、請求項１に記載のパッド付きエレメント。
【請求項３】
前記第１の内部表面が、実質的にテクスチャが付いておらず、前記第２の内部表面が、テクスチャの付いた部分を備える、請求項１に記載のパッド付きエレメント。
【請求項４】
前記第１の内部表面と前記第２の内部表面の両方が、テクスチャの付いた部分を備える、請求項１に記載のパッド付きエレメント。
【請求項５】
前記第１の内部表面と前記第２の内部表面とが、前記パッド付きエレメントの静止位置において、離間した関係にある、請求項１〜４のいずれか一項に記載のパッド付きエレメント。
【請求項６】
前記第１の内部表面と前記第２の内部表面とが、前記パッド付きエレメントの静止位置において、接触関係にある、請求項１〜４のいずれか一項に記載のパッド付きエレメント。
【請求項７】
前記発泡体基材が、成形される、請求項１〜６のいずれか一項に記載のパッド付きエレメント。
【請求項８】
前記発泡体基材が、単一の発泡体部分から成形される、請求項１〜６のいずれか一項に記載のパッド付きエレメント。
【請求項９】
前記テクスチャの付いた部分が、複数のピーク部部分と複数の谷底部部分とを備える、請求項１〜８のいずれか一項に記載のパッド付きエレメント。
【請求項１０】
それぞれのピーク部部分が、頂点部分を備える、請求項９に記載のパッド付きエレメント。
【請求項１１】
前記頂点部分が、第１の尖った部分を備える、請求項１０に記載のパッド付きエレメント。
【請求項１２】
前記頂点部分が、第１の丸みを帯びた部分を備える、請求項１０に記載のパッド付きエレメント。
【請求項１３】
前記頂点部分が、第１の平坦な部分を備える、請求項１０に記載のパッド付きエレメント。
【請求項１４】
それぞれの谷底部部分が、最下点部分を備える、請求項９〜１４のいずれか一項に記載のパッド付きエレメント。
【請求項１５】
前記最下点部分が、第２の尖った部分を備える、請求項１４に記載のパッド付きエレメント。
【請求項１６】
前記最下点部分が、第２の丸みを帯びた部分を備える、請求項１４に記載のパッド付きエレメント。
【請求項１７】
前記最下点部分が、第２の平坦な部分を備える、請求項１４に記載のパッド付きエレメント。
【請求項１８】
それぞれのピーク部部分が、頂点部分を備え、それぞれの谷底部部分が、最下点部分を備える、請求項９に記載のパッド付きエレメント。
【請求項１９】
前記頂点部分と前記最下点部分とが、同じプロファイルを備える、請求項１８に記載のパッド付きエレメント。
【請求項２０】
前記頂点部分と前記最下点部分とが、異なるプロファイルを備える、請求項１８に記載のパッド付きエレメント。
【請求項２１】
前記頂点部分が、第１の尖った部分を備える、請求項１８〜２０のいずれか一項に記載のパッド付きエレメント。
【請求項２２】
前記頂点部分が、第１の丸みを帯びた部分を備える、請求項１８〜２０のいずれか一項に記載のパッド付きエレメント。
【請求項２３】
前記頂点部分が、第１の平坦な部分を備える、請求項１８〜２０のいずれか一項に記載のパッド付きエレメント。
【請求項２４】
前記最下点部分が、第２の尖った部分を備える、請求項１８〜２３のいずれか一項に記載のパッド付きエレメント。
【請求項２５】
前記最下点部分が、第２の丸みを帯びた部分を備える、請求項１８〜２３のいずれか一項に記載のパッド付きエレメント。
【請求項２６】
前記最下点部分が、第２の平坦な部分を備える、請求項１８〜２３のいずれか一項に記載のパッド付きエレメント。
【請求項２７】
前記複数のピーク部部分の中のそれぞれのピーク部部分が、実質的に細長い、請求項９〜２６のいずれか一項に記載のパッド付きエレメント。
【請求項２８】
前記複数のピーク部部分が、互いに対して実質的に平行に配設されている、請求項２７に記載のパッド付きエレメント。
【請求項２９】
前記複数の谷底部部分の中のそれぞれの谷底部部分が、実質的に細長い、請求項９〜２８のいずれか一項に記載のパッド付きエレメント。
【請求項３０】
前記複数のピーク部部分が、第１の一連の細長いピーク部部分と、第２の一連の細長いピーク部部分とを備え、前記第１の一連と前記第２の一連とが、互いに対して横断する方向に配設されている、請求項９〜２９のいずれか一項に記載のパッド付きエレメント。
【請求項３１】
前記複数のピーク部部分が、第１の一連の細長いピーク部部分と、第２の一連の細長いピーク部部分とを備え、前記第１の一連と前記第２の一連とが、互いに対して平行でないように配設されている、請求項９〜２９のいずれか一項に記載のパッド付きエレメント。
【請求項３２】
前記複数のピーク部部分が、第１の一連の細長いピーク部部分と、第２の一連の細長いピーク部部分とを備え、前記第１の一連と前記第２の一連とが、互いに対して直交して配設されている、請求項９〜２９のいずれか一項に記載のパッド付きエレメント。
【請求項３３】
前記複数の谷底部部分が、第１の一連の細長い谷底部部分と、第２の一連の細長い谷底部部分とを備え、前記第１の一連と前記第２の一連とが、互いに対して横断する方向に配設されている、請求項９〜２９のいずれか一項に記載のパッド付きエレメント。
【請求項３４】
前記複数の谷底部部分が、第１の一連の細長い谷底部部分と、第２の一連の細長い谷底部部分とを備え、前記第１の一連と前記第２の一連とが、互いに対して平行でないように配設されている、請求項９〜２９のいずれか一項に記載のパッド付きエレメント。
【請求項３５】
前記複数の谷底部部分が、第１の一連の細長い谷底部部分と、第２の一連の細長い谷底部部分とを備え、前記第１の一連と前記第２の一連とが、互いに対して直交して配設されている、請求項９〜２９のいずれか一項に記載のパッド付きエレメント。
【請求項３６】
前記複数のピーク部部分の中のそれぞれのピーク部部分が、実質的に細長く、前記複数の谷底部部分の中のそれぞれの谷底部部分が、実質的に細長い、請求項９〜２９のいずれか一項に記載のパッド付きエレメント。
【請求項３７】
前記複数のピーク部部分と前記複数の谷底部部分とが、実質的に平行な関係で配設されている、請求項３６に記載のパッド付きエレメント。
【請求項３８】
前記複数のピーク部部分が、複数の実質的に直立した突出部に備えられる、請求項９〜２９のいずれか一項に記載のパッド付きエレメント。
【請求項３９】
それぞれの突出部の断面が、長方形を備える、請求項３８に記載のパッド付きエレメント。
【請求項４０】
それぞれの突出部の断面が、台形を備える、請求項３８に記載のパッド付きエレメント。
【請求項４１】
それぞれの突出部の断面が、左右対称的な台形を備える、請求項３８に記載のパッド付きエレメント。
【請求項４２】
それぞれの突出部の断面が、オジーブ形状を備える、請求項３８に記載のパッド付きエレメント。
【請求項４３】
隣接する突出部の断面が、スカラップ形状を備える、請求項３８に記載のパッド付きエレメント。
【請求項４４】
隣接する突出部の間の谷底部部分の断面が、スカラップ形状を備える、請求項３８に記載のパッド付きエレメント。
【請求項４５】
それぞれの突出部が、交差ボールトの形状を備える、請求項３８に記載のパッド付きエレメント。
【請求項４６】
前記複数の突出部が、実質的に同じ形状を備える、請求項３８〜４５のいずれか一項に記載のパッド付きエレメント。
【請求項４７】
前記複数の突出部が、実質的に同じ寸法を備える、請求項３８〜４５のいずれか一項に記載のパッド付きエレメント。
【請求項４８】
前記複数の突出部が、実質的に同じ形状と同じ寸法とを備える、請求項３８〜４５のいずれか一項に記載のパッド付きエレメント。
【請求項４９】
前記複数の突出部が、異なる形状を備える、請求項３８〜４５のいずれか一項に記載のパッド付きエレメント。
【請求項５０】
前記複数の突出部が、異なる寸法を備える、請求項３８〜４５のいずれか一項に記載のパッド付きエレメント。
【請求項５１】
前記複数の突出部が、異なる形状と異なる寸法とを備える、請求項３８〜４５のいずれか一項に記載のパッド付きエレメント。
【請求項５２】
前記複数の突出部が、実質的に同じ形状と異なる寸法とを備える、請求項３８〜４５のいずれか一項に記載のパッド付きエレメント。
【請求項５３】
前記複数の突出部が、異なる形状と同じ寸法とを備える、請求項３８〜４５のいずれか一項に記載のパッド付きエレメント。
【請求項５４】
少なくとも２つの谷底部部分が、互いに接続されている、請求項９〜５３のいずれか一項に記載のパッド付きエレメント。
【請求項５５】
前記複数の谷底部部分が、互いに接続されている、請求項９〜５３のいずれか一項に記載のパッド付きエレメント。
【請求項５６】
少なくとも２つの谷底部部分が、互いから独立している、請求項９〜５３のいずれか一項に記載のパッド付きエレメント。
【請求項５７】
前記複数の谷底部部分が、互いから独立している、請求項９〜５３のいずれか一項に記載のパッド付きエレメント。
【請求項５８】
少なくとも２つのピーク部部分が、互いに接続されている、請求項９〜５３のいずれか一項に記載のパッド付きエレメント。
【請求項５９】
前記複数のピーク部部分が、互いに接続されている、請求項９〜５３のいずれか一項に記載のパッド付きエレメント。
【請求項６０】
少なくとも２つのピーク部部分が、互いから独立している、請求項９〜５３のいずれか一項に記載のパッド付きエレメント。
【請求項６１】
前記複数のピーク部部分が、互いから独立している、請求項９〜５３のいずれか一項に記載のパッド付きエレメント。
【請求項６２】
前記テクスチャの付いた部分が、第１の刻み目のあるパターンを備える、請求項９〜５３のいずれか一項に記載のパッド付きエレメント。
【請求項６３】
前記テクスチャの付いた部分が、第１の刻み目のあるパターンと、第２の刻み目のあるパターンとを備え、前記第１の刻み目のあるパターンと、前記第２の刻み目のあるパターンとが、互いに対して横断する関係で配設されている、請求項９〜６２のいずれか一項に記載のパッド付きエレメント。
【請求項６４】
前記テクスチャの付いた部分が、第１の刻み目のあるパターンと、第２の刻み目のあるパターンとを備え、前記第１の刻み目のあるパターンと、前記第２の刻み目のあるパターンとが、互いに対して直交する関係で配設されている、請求項９〜６２のいずれか一項に記載のパッド付きエレメント。
【請求項６５】
前記テクスチャの付いた部分が、第１の歯状パターンを備える、請求項９〜６２のいずれか一項に記載のパッド付きエレメント。
【請求項６６】
前記テクスチャの付いた部分が、第１の歯状パターンと、第２の歯状パターンとを備え、前記第１の歯状パターンと、前記第２の歯状パターンとが、互いに対して横断する関係で配設されている、請求項９〜６２のいずれか一項に記載のパッド付きエレメント。
【請求項６７】
前記テクスチャの付いた部分が、第１の歯状パターンと、第２の歯状パターンとを備え、前記第１の歯状パターンと、前記第２の歯状パターンとが、互いに対して直交する関係で配設されている、請求項９〜６２のいずれか一項に記載のパッド付きエレメント。
【請求項６８】
座席表面エレメントが、複数のセクションを備え、それぞれのセクションが、複数のピーク部部分と、複数の谷底部部分とを備える、請求項９〜６７のいずれか一項に記載のパッド付きエレメント。
【請求項６９】
それぞれのセクションの中の前記複数のピーク部部分が、同じである、請求項６８に記載のパッド付きエレメント。
【請求項７０】
それぞれのセクションの中の前記複数の谷底部部分が、同じである、請求項６８に記載のパッド付きエレメント。
【請求項７１】
それぞれのセクションの中の前記複数のピーク部部分、および、前記複数の谷底部部分が、同じである、請求項６８に記載のパッド付きエレメント。
【請求項７２】
それぞれのセクションの中の前記複数のピーク部部分が、異なっている、請求項６８に記載のパッド付きエレメント。
【請求項７３】
それぞれのセクションの中の前記複数の谷底部部分が、異なっている、請求項６８に記載のパッド付きエレメント。
【請求項７４】
それぞれのセクションの中の前記複数のピーク部部分、および、前記複数の谷底部部分が、異なっている、請求項６８に記載のパッド付きエレメント。
【請求項７５】
前記複数のセクションの一対の隣接するセクションの少なくとも一部分を分離する少なくとも１つの溝部をさらに備える、請求項６８〜７４のいずれか一項に記載のパッド付きエレメント。
【請求項７６】
前記発泡体基材が、イソシアネートベースの発泡体を備える、請求項１〜７５のいずれか一項に記載のパッド付きエレメント。
【請求項７７】
前記発泡体基材が、ポリウレタン発泡体を備える、請求項１〜７５のいずれか一項に記載のパッド付きエレメント。
【請求項７８】
前記発泡体基材が、ポリオレフィンベースの発泡体を備える、請求項１〜７５のいずれか一項に記載のパッド付きエレメント。
【請求項７９】
前記発泡体基材が、ポリプロピレン発泡体を備える、請求項１〜７５のいずれか一項に記載のパッド付きエレメント。
【請求項８０】
前記発泡体基材が、ポリエチレン発泡体を備える、請求項１〜７５のいずれか一項に記載のパッド付きエレメント。
【請求項８１】
前記発泡体基材が、均一な密度を備える、請求項１〜８０のいずれか一項に記載のパッド付きエレメント。
【請求項８２】
前記発泡体基材が、可変の密度を備える、請求項１〜８０のいずれか一項に記載のパッド付きエレメント。
【請求項８３】
請求項１〜８２のいずれか一項に記載のパッド付きエレメントを備えるシートエレメント。
【請求項８４】
前記外側表面と前記第１の内部表面とをその中に備えた座席表面部分を備える、請求項８３に記載のシートエレメント。
【請求項８５】
請求項８３〜８４のいずれか一項に記載のシートエレメントを備える車両用シート。
【請求項８６】
請求項８３〜８４のいずれか一項に記載のシートエレメントを備える車両用シート座部。
【請求項８７】
請求項８３〜８４のいずれか一項に記載のシートエレメントを備える車両用シート背部。
【請求項８８】
請求項８３〜８４のいずれか一項に記載のシートエレメントを備えるシート座部。
【請求項８９】
請求項８３〜８４のいずれか一項に記載のシートエレメントを備えるシート背部。
【請求項９０】
成形されたエレメントの生産のための金型であって、前記金型は、金型キャビティーを画定するために係合可能な第１の金型部分と第２の金型部分とを備えており、前記金型は、少なくとも１つのインサートエレメントをさらに備え、前記インサートエレメントは、テクスチャの付いた表面を有し、成形されたエレメントの中で互いに対して対向する第１の内部表面と第２の内部表面とを生成するように構成されている、金型。
【請求項９１】
前記テクスチャの付いた表面が、複数のピーク部部分と、複数の谷底部部分とを備える、請求項９０に記載の金型。
【請求項９２】
それぞれのピーク部が、頂点部分を備える、請求項９１に記載の金型。
【請求項９３】
前記頂点部分が、第１の尖った部分を備える、請求項９２に記載の金型。
【請求項９４】
前記頂点部分が、第１の丸みを帯びた部分を備える、請求項９２に記載の金型。
【請求項９５】
前記頂点部分が、第１の平坦な部分を備える、請求項９２に記載の金型。
【請求項９６】
それぞれの谷底部が、最下点部分を備える、請求項９１に記載の金型。
【請求項９７】
前記最下点部分が、第２の尖った部分を備える、請求項９６に記載の金型。
【請求項９８】
前記最下点部分が、第２の丸みを帯びた部分を備える、請求項９６に記載の金型。
【請求項９９】
前記最下点部分が、第２の平坦な部分を備える、請求項９６に記載の金型。
【請求項１００】
それぞれのピーク部が、頂点部分を備え、それぞれの谷底部が、最下点部分を備える、請求項９１に記載の金型。
【請求項１０１】
前記頂点部分と前記最下点部分とが、同じプロファイルを備える、請求項１００に記載の金型。
【請求項１０２】
前記頂点部分と前記最下点部分とが、異なるプロファイルを備える、請求項１００に記載の金型。
【請求項１０３】
前記頂点部分が、第１の尖った部分を備える、請求項１００〜１０２のいずれか一項に記載の金型。
【請求項１０４】
前記頂点部分が、第１の丸みを帯びた部分を備える、請求項１００〜１０２のいずれか一項に記載の金型。
【請求項１０５】
前記頂点部分が、第１の平坦な部分を備える、請求項１００〜１０２のいずれか一項に記載の金型。
【請求項１０６】
前記最下点部分が、第２の尖った部分を備える、請求項１００〜１０５のいずれか一項に記載の金型。
【請求項１０７】
前記最下点部分が、第２の丸みを帯びた部分を備える、請求項１００〜１０５のいずれか一項に記載の金型。
【請求項１０８】
前記最下点部分が、第２の平坦な部分を備える、請求項１００〜１０５のいずれか一項に記載の金型。
【請求項１０９】
前記複数のピーク部部分の中のそれぞれのピーク部部分が、実質的に細長い、請求項９１〜１０８のいずれか一項に記載の金型。
【請求項１１０】
前記複数のピーク部部分が、互いに対して実質的に平行に配設されている、請求項１０９に記載の金型。
【請求項１１１】
前記複数の谷底部部分の中のそれぞれの谷底部部分が、実質的に細長い、請求項９１〜１０８のいずれか一項に記載の金型。
【請求項１１２】
前記複数のピーク部部分が、第１の一連の細長いピーク部部分と、第２の一連の細長いピーク部部分とを備え、前記第１の一連と前記第２の一連とが、互いに対して横断する方向に配設されている、請求項９１〜１０８のいずれか一項に記載の金型。
【請求項１１３】
前記複数のピーク部部分が、第１の一連の細長いピーク部部分と、第２の一連の細長いピーク部部分とを備え、前記第１の一連と前記第２の一連とが、互いに対して平行でないように配設されている、請求項９１〜１０８のいずれか一項に記載の金型。
【請求項１１４】
前記複数のピーク部部分が、第１の一連の細長いピーク部部分と、第２の一連の細長いピーク部部分とを備え、前記第１の一連と前記第２の一連とが、互いに対して直交して配設されている、請求項９１〜１０８のいずれか一項に記載の金型。
【請求項１１５】
前記複数の谷底部部分が、第１の一連の細長い谷底部部分と、第２の一連の細長い谷底部部分とを備え、前記第１の一連と前記第２の一連とが、互いに対して横断する方向に配設されている、請求項９１〜１０８のいずれか一項に記載の金型。
【請求項１１６】
前記複数の谷底部部分が、第１の一連の細長い谷底部部分と、第２の一連の細長い谷底部部分とを備え、前記第１の一連と前記第２の一連とが、互いに対して平行でないように配設されている、請求項９１〜１０８のいずれか一項に記載の金型。
【請求項１１７】
前記複数の谷底部部分が、第１の一連の細長い谷底部部分と、第２の一連の細長い谷底部部分とを備え、前記第１の一連と前記第２の一連とが、互いに対して直交して配設されている、請求項９１〜１０８のいずれか一項に記載の金型。
【請求項１１８】
前記複数のピーク部部分の中のそれぞれのピーク部部分が、実質的に細長く、前記複数の谷底部部分の中のそれぞれの谷底部部分が、実質的に細長い、請求項９１〜１０８のいずれか一項に記載の金型。
【請求項１１９】
前記複数のピーク部部分と前記複数の谷底部部分とが、実質的に平行な関係で配設されている、請求項１１８に記載の金型。
【請求項１２０】
前記複数のピーク部部分が、複数の実質的に直立した突出部に備えられる、請求項９１〜１０８のいずれか一項に記載の金型。
【請求項１２１】
それぞれの突出部の断面が、長方形を備える、請求項１２０に記載の金型。
【請求項１２２】
それぞれの突出部の断面が、台形を備える、請求項１２０に記載の金型。
【請求項１２３】
それぞれの突出部の断面が、左右対称的な台形を備える、請求項１２０に記載の金型。
【請求項１２４】
それぞれの突出部の断面が、オジーブ形状を備える、請求項１２０に記載の金型。
【請求項１２５】
隣接する突出部の断面が、スカラップ形状を備える、請求項１２０に記載の金型。
【請求項１２６】
隣接する突出部の間の谷底部部分の断面が、スカラップ形状を備える、請求項１２０に記載の金型。
【請求項１２７】
それぞれの突出部が、交差ボールトの形状を備える、請求項１２０に記載の金型。
【請求項１２８】
前記複数の突出部が、実質的に同じ形状を備える、請求項１２０〜１２７のいずれか一項に記載の金型。
【請求項１２９】
前記複数の突出部が、実質的に同じ寸法を備える、請求項１２０〜１２７のいずれか一項に記載の金型。
【請求項１３０】
前記複数の突出部が、実質的に同じ形状と同じ寸法とを備える、請求項１２０〜１２７のいずれか一項に記載の金型。
【請求項１３１】
前記複数の突出部が、異なる形状を備える、請求項１２０〜１２７のいずれか一項に記載の金型。
【請求項１３２】
前記複数の突出部が、異なる寸法を備える、請求項１２０〜１２７のいずれか一項に記載の金型。
【請求項１３３】
前記複数の突出部が、異なる形状と異なる寸法とを備える、請求項１２０〜１２７のいずれか一項に記載の金型。
【請求項１３４】
前記複数の突出部が、実質的に同じ形状と異なる寸法とを備える、請求項１２０〜１２７のいずれか一項に記載の金型。
【請求項１３５】
前記複数の突出部が、異なる形状と同じ寸法とを備える、請求項１２０〜１２７のいずれか一項に記載の金型。
【請求項１３６】
少なくとも２つの谷底部部分が、互いに接続されている、請求項９１〜１３５のいずれか一項に記載の金型。
【請求項１３７】
前記複数の谷底部部分が、互いに接続されている、請求項９１〜１３５のいずれか一項に記載の金型。
【請求項１３８】
少なくとも２つの谷底部部分が、互いから独立している、請求項９１〜１３５のいずれか一項に記載の金型。
【請求項１３９】
前記複数の谷底部部分が、互いから独立している、請求項９１〜１３５のいずれか一項に記載の金型。
【請求項１４０】
少なくとも２つのピーク部部分が、互いに接続されている、請求項９１〜１３５のいずれか一項に記載の金型。
【請求項１４１】
前記複数のピーク部部分が、互いに接続されている、請求項９１〜１３５のいずれか一項に記載の金型。
【請求項１４２】
少なくとも２つのピーク部部分が、互いから独立している、請求項９１〜１３５のいずれか一項に記載の金型。
【請求項１４３】
前記複数のピーク部部分が、互いから独立している、請求項９１〜１３５のいずれか一項に記載の金型。
【請求項１４４】
座席表面成形エレメントが、第１の刻み目のあるパターンを備える、請求項９１〜１４３のいずれか一項に記載の金型。
【請求項１４５】
座席表面成形エレメントが、第１の刻み目のあるパターンと、第２の刻み目のあるパターンとを備え、前記第１の刻み目のあるパターンと、前記第２の刻み目のあるパターンとが、互いに対して横断する関係で配設されている、請求項９１〜１４３のいずれか一項に記載の金型。
【請求項１４６】
座席表面成形エレメントが、第１の刻み目のあるパターンと、第２の刻み目のあるパターンとを備え、前記第１の刻み目のあるパターンと、前記第２の刻み目のあるパターンとが、互いに対して直交する関係で配設されている、請求項９１〜１４３のいずれか一項に記載の金型。
【請求項１４７】
座席表面成形エレメントが、第１の歯状パターンを備える、請求項９１〜１４３のいずれか一項に記載の金型。
【請求項１４８】
座席表面成形エレメントが、第１の歯状パターンと、第２の歯状パターンとを備え、前記第１の歯状パターンと、前記第２の歯状パターンとが、互いに対して横断する関係で配設されている、請求項９１〜１４３のいずれか一項に記載の金型。
【請求項１４９】
座席表面成形エレメントが、第１の歯状パターンと、第２の歯状パターンとを備え、前記第１の歯状パターンと、前記第２の歯状パターンとが、互いに対して直交する関係で配設されている、請求項９１〜１４３のいずれか一項に記載の金型。
【請求項１５０】
座席表面エレメントが、複数のセクションを備え、それぞれのセクションが、複数のピーク部部分と、複数の谷底部部分とを備える、請求項９１〜１４３のいずれか一項に記載の金型。
【請求項１５１】
それぞれのセクションの中の前記複数のピーク部部分が、同じである、請求項１５０に記載の金型。
【請求項１５２】
それぞれのセクションの中の前記複数の谷底部部分が、同じである、請求項１５０に記載の金型。
【請求項１５３】
それぞれのセクションの中の前記複数のピーク部部分、および、前記複数の谷底部部分が、同じである、請求項１５０に記載の金型。
【請求項１５４】
それぞれのセクションの中の前記複数のピーク部部分が、異なっている、請求項１５０に記載の金型。
【請求項１５５】
それぞれのセクションの中の前記複数の谷底部部分が、異なっている、請求項１５０に記載の金型。
【請求項１５６】
それぞれのセクションの中の前記複数のピーク部部分、および、前記複数の谷底部部分が、異なっている、請求項１５０に記載の金型。
【請求項１５７】
前記少なくとも１つのインサートエレメントが、前記第１の金型部分および前記第２の金型部分のうちの１つに付けられている、請求項９０〜１５６のいずれか一項に記載の金型。
【請求項１５８】
前記少なくとも１つのインサートエレメントが、前記第１の金型部分および前記第２の金型部分のうちの１つまたは両方に対して可動であり、前記成形されたエレメントの離型を容易にする、請求項９０〜１５７のいずれか一項に記載の金型。
【請求項１５９】
前記少なくとも１つのインサートエレメントが、前記第１の金型部分および前記第２の金型部分のうちの１つまたは両方に対して枢動自在に可動であり、前記成形されたエレメントの離型を容易にする、請求項９０〜１５７のいずれか一項に記載の金型。
【請求項１６０】
前記第１の金型部分が、蓋部であり、前記第２の金型部分が、ボウル部である、請求項９０〜１５６のいずれか一項に記載の金型。
【請求項１６１】
前記少なくとも１つのインサートエレメントが、前記ボウル部に付けられている、請求項１６０に記載の金型。
【請求項１６２】
前記少なくとも１つのインサートエレメントが、前記ボウル部に対して可動であり、前記成形されたエレメントの離型を容易にする、請求項１６１に記載の金型。
【請求項１６３】
前記少なくとも１つのインサートエレメントが、前記ボウル部に対して枢動自在に可動であり、前記成形されたエレメントの離型を容易にする、請求項１６１に記載の金型。
【請求項１６４】
前記金型が、複数のインサートエレメントを備え、それぞれのインサートエレメントが、テクスチャの付いた表面を備える、請求項９０〜１６３のいずれか一項に記載の金型。
【請求項１６５】
請求項９０〜１６４のいずれか一項に記載の前記金型の中で成形されるエレメントの生産のためのプロセスであって、
（ｉ）前記金型キャビティーの中に成形用組成物を注入するステップと、
（ｉｉ）前記少なくとも１つのインサートエレメントを前記成形用組成物で実質的に完全に取り囲むステップと、
（ｉｉ）前記成形用組成物を硬化させ、前記成形されたエレメントを生産するステップと
を備える、プロセス。
【請求項１６６】
請求項９０〜１６４のいずれか一項に記載の前記金型の中で発泡させられるエレメントの生産のためのプロセスであって、
（ｉ）前記金型キャビティーの中に発泡性組成物を注入するステップと、
（ｉｉ）前記発泡性組成物を膨張させるステップと、
（ｉｉｉ）前記少なくとも１つのインサートエレメントを前記発泡性組成物で実質的に完全に取り囲むステップと
を備える、プロセス。
【請求項１６７】
前記発泡性組成物が、液体である、請求項１６６に記載のプロセス。
【請求項１６８】
前記発泡性組成物が、発泡性のポリウレタン組成物を備える、請求項１６６に記載のプロセス。
【請求項１６９】
発泡させられる前記エレメントが、シートエレメントである、請求項１６６〜１６８のいずれか一項に記載のプロセス。
【請求項１７０】
前記発泡させられるエレメントが、車両用シート座部である、請求項１６６〜１６８のいずれか一項に記載のプロセス。
【請求項１７１】
前記発泡させられるエレメントが、車両用シート背部である、請求項１６６〜１６８のいずれか一項に記載のプロセス。
【発明の詳細な説明】
【技術分野】
【０００１】
関連出願の相互参照
本出願は、３５ＵＳＣ．§１１９（ｅ）の下で、２０１１年７月１４日に出願された仮特許出願Ｓ．Ｎ．６１／４５７，９４３の利益を主張し、その内容は、参照により本明細書に組み込まれる。
【０００２】
その態様の１つでは、本発明は、発泡体シートエレメント、好ましくは、発泡体車両用シートエレメントに関する。その態様の別の例では、本発明は、発泡体シートエレメント、好ましくは、車両用シートエレメントを生産するためのプロセスに関する。その態様のさらなる別の例では、本発明は、成形されたエレメント、好ましくは、成形された発泡体シートエレメント、より好ましくは、成形された発泡体車両用シートエレメントを生産するための金型に関する。
【背景技術】
【０００３】
自動車などのような車両の乗客シートは、典型的に、所望の形状へ成形され、かつ、適当なトリムカバーでカバーされた発泡体（通常は、ポリウレタン発泡体）材料から組み立てられている。発泡体材料は、弾力性のあるシートを提供することによって乗客の快適性を提供するように選択され、トリムカバーは、所望の審美的特性を提供するように選択される。
【０００４】
最近では、車両用シートなどのようなシートが、以下のうちの１つまたは複数をシートに与えるように開発されている。すなわち、快適性、環境制御、乗員検出などである。
【０００５】
特に注目を集めてきた１つの領域は、２つの密度から構成される、または、２つの硬度から構成されるシートコンポーネントを提供することであり、そのシートコンポーネントは、シートの周囲部分が、より密度が高いか、または、より硬く、それによって、体に密着する感触、または、「包まれる」感触を乗員に与える。このことは、比較的に高速で方向転換が達成され得るように設計される高性能の車両において、特に重要である。しかし、シートによって提供される支持と乗員の快適性とのバランスを取る挑戦が進行中である。
【０００６】
２つの密度から構成される、または、２つの硬度から構成されるシートエレメントは、生産するのに費用がかかり、多くの場合は、異なる硬度の特性を有することが重要であると認められる範囲だけ、シートの支持表面の感触を変更する。換言すれば、従来の２つの密度から構成される、または、２つの硬度から構成されるシートエレメントは、可変の密度または硬度を提供するための概して粗いアプローチを使用する。
【０００７】
さらに、２つの（もしくは、複数の）密度から構成される、または、２つの（もしくは、複数の）硬度から構成されるシートは、典型的に、２つ以上のタイプの発泡体（例えば、成形、フリーライズ（free rise）、ビーズなど）の使用を必要とし、それらは、典型的に、別々に生産されて一緒に固定され、最終的なシート製品の生産時間とコストとを増加させる。代替的に、特定の２つの（もしくは、複数の）硬度から構成されるシートは、成形することによって、または、そうでなければ、インサート（例えば、ワイヤーコンポーネント、フレキソレーター（flexolator）など）を発泡体基材に固定することによって、作製される。
【０００８】
国際公開第ＷＯ２００６／１０２７５１号［Ｓａｎ  Ｍｉｇｕｅｌら（Ｓａｎ  Ｍｉｇｕｅｌ）］は、発泡体シートエレメントと、その生産のための金型と、金型を製造するための方法とを教示している。Ｓａｎ  Ｍｉｇｕｅｌによって教示されている発泡体シートエレメントは、１つまたは複数のテクスチャの付いた表面（同じか、または、異なる）が生成されている座席表面を備える。そのようなテクスチャの付いた表面を提供することによって、単一密度の部分において、「２つの硬度から構成される」（または、複数の硬度から構成される）快適性または感触を実現することを可能にし、それは、シートエレメントの中に複数の密度から構成される発泡体ピースを使用して都合よく実現される。Ｓａｎ  Ｍｉｇｕｅｌのアプローチの利点のうちの１つは、従来のいわゆるプラスパッディング（plus padding）の代替として、柔らかい感触タッチをシートエレメントに与えることが可能であるということである。
【０００９】
Ｓａｎ  Ｍｉｇｕｅｌの教示は、当分野の進歩を表しているが、依然として改善の余地がある。
【００１０】
具体的には、Ｓａｎ  Ｍｉｇｕｅｌの教示を車両用の車シートに適用するときに、車両用シートのいわゆるＡ−表面に、１つまたは複数のテクスチャの付いた表面を生成することは、従来的である。これを行うときに、テクスチャの付いた表面が、発泡体シートエレメントをカバーするために使用されているトリムカバー（皮革、または、椅子張り材料）を通して感じられ得るか、または、見られ得る可能性がある。また、これは、当分野において、「リードスルー（read through）」としても知られている。自動車会社は、車両用シートの適合と仕上げとのための仕様と要求とを継続的に向上させており、車両用シートにおける「リードスルー」の発生は、不利益であると考えられている。
【００１１】
したがって、一方では、Ｓａｎ  Ｍｉｇｕｅｌ（すなわち、単一密度の発泡体を使用しながら、発泡体エレメントの表面において、快適性または感触の異なるゾーンを有する能力）の技術的利点を維持し、他方では、車両用シートに適用されるときに、発泡体エレメントのＡ−表面における「リードスルー」の発生を除去または軽減する、発泡体エレメントを有することが望ましいこととなる。
【００１２】
多大な資本支出の要求なしに、そのような改善を実施することができるのであれば、とりわけ有利であることとなる。
【発明の概要】
【００１３】
本発明の目的は、上述の先行技術の不利益のうちの少なくとも１つを除去または軽減することである。
【００１４】
したがって、その態様のうちの１つでは、本発明は、発泡体基材を備えるパッド付きエレメントを提供し、発泡体基材は、その中に配設されている第１の内部表面と、第１の内部表面に対向する第２の内部表面とを有しており、第１の内部表面は、発泡体基材の外側表面と第２の内部表面との間に置かれており、第１の内部表面および第２の内部表面のうちの少なくとも１つが、テクスチャの付いた部分を備える。
【００１５】
その態様の別の例では、本発明は、成形されたエレメントの生産のための金型を提供し、金型は、金型キャビティーを画定するために係合可能な第１の金型部分と第２の金型部分とを備えており、金型は、少なくとも１つのインサートエレメントをさらに備え、インサートエレメントは、テクスチャの付いた表面を有し、成形されたエレメントの中で互いに対して対向する第１の内部表面と第２の内部表面とを生成するように構成されている。
【００１６】
好適な実施形態では、パッド付きエレメントが、シートエレメントに備えられる。この好適な実施形態では、シートエレメントが、成形された発泡体シートエレメントを備えることが好ましく、成形された発泡体エレメントが、単一の発泡体部分を備えることがより好ましい。そのような成形された発泡体エレメントを本発明のシートエレメントの中で使用する利点は、第１の内部表面と第２の内部表面とのうちの１つの表面、または、両方の表面にスキンが存在するということである。スキンの存在は、表面（例えば、１ｍｍの深さ）において、内部表面から遠くにある中央領域またはコア領域と比較して、より大きい密度を有する（第１および／または第２の）内部表面によって特徴付けられる。密度は、ＡＳＴＭ  Ｄ−３５７４を使用して決定することが可能である。任意の特定の理論または作用機構によって拘束されることを望まないが、そのようなスキンの存在が（例えば、ピーク部が、単に、座席表面エレメントに接着され、かつ／または、谷底部が、単に、座席表面エレメントの切り取りである場合とは異なるので）、支持と快適性との望ましい組み合わせをシートエレメントの乗員に与えるということが信じられている。
【００１７】
したがって、本発明者は、「リードスルー」の発生を除去または軽減しながら、Ｓａｎ  Ｍｉｇｕｅｌに説明されている利益を実現することが可能なアプローチを発見した。具体的には、シートエレメントの形式の本発明のパッド付きエレメントでは、内部境界面が、発泡体基材の本体の中に配設されている一対の内部表面の間に生成され、内部表面のうちの少なくとも１つに、テクスチャが付いている。非常に好適な実施形態では、発泡体基材の本体の中に配設されている一対の内部表面は、（例えば、一方の内部表面がテクスチャの付いた部分を有し、もう一方の内部表面にはテクスチャが付いていないということを提供することによって、）発泡体基材の中に１つまたは複数のキャビティーを形成させるために組み合わせられる。そのようなテクスチャの付いた表面を提供することは、（静止しているとき、または、乗員がシートの上に座っているときのいずれかに、）下方との間（between below）、または、発泡体エレメントのＡ−表面から遠くに、接触する境界面を生成する。この境界面は、座席エレメントの露出された表面とは異なる特性を有する。この内部境界面アプローチを発泡体エレメントの１つまたは複数のゾーンに採用することによって、たとえ、その外側表面の外観には、比較的にテクスチャが付いていない可能性があるとしても、快適性と感触との異なる品質を発泡体エレメントの外側表面（例えば、車両用シートエレメントのＡ−表面）に与えることが可能である。この様式では、上述の「リードスルー」の発生が、除去または軽減される。
【００１８】
多数の異なる実施形態が、このアプローチを採用するために使用されることが可能である。
【００１９】
第１に、発泡体基材とは別々のピースである発泡体座席エレメントを有することが可能である。代替的に、単一の金型の中の発泡体基材によって発泡体座席部分を生成することが可能であり、いわゆる折り畳まれる構造の生産を結果として生じさせ、折り畳まれる構造は、（発泡体座席エレメントと発泡体基材を生産するために別々のツールを必要とする第１の実施形態と比較して、）発泡体エレメント全体を生産するために単一のツールの使用を可能にする。これらの実施形態の両方は、発泡体座席エレメントと発泡体基材との中の実質的に補完的な一対の内部表面の使用を可能にする。
【００２０】
とりわけ好適な代替的な実施形態は、１つまたは複数のタング（または、インサート）エレメントを有する金型の使用に関し、タング（または、インサート）エレメントは、単一のピースの発泡体の中のその場所で上述の境界面を生産する。このアプローチの１つの利点は、金型コストと製造コスト（労働コストに関する）とが、最適化されるということである。さらに、タングエレメントは、既存の金型に改造して組み込むことが可能であり、それによって、特別注文の金型を作る必要なく、および、関連する資本コストを負担する必要なく、本発明の実施を可能にする。
【００２１】
発泡体エレメントが単一ピースの発泡体であるか、または、第１の内部表面と第２の内部表面とが、別々のピースの発泡体に備えられているかにかかわらず、上述されている第１の内部表面と第２の内部表面とを含有する発泡体エレメントは、同じか、または異なることが可能である。上述されている第１の内部表面と第２の内部表面を含有する発泡体エレメントが異なる場合には、それは、発泡体のための異なる製剤を注ぎ込むことによって実現することが可能である。第１の内部表面と第２の内部発泡体表面とのための発泡体エレメントにおいて、以下のうちの１つまたは複数に関して、異なるという結果が好ましい。すなわち、密度、硬さ、押込力たわみ、吸音、音響透過損失、ヒステリシス、引張強度、および、それらのうちの２つ以上の組み合わせである。
【００２２】
当然ながら、当業者は、本願明細書に基づいて、本発明のシートエレメントから生じる他の利点を認識することとなる。
【００２３】
本発明の実施形態が、添付の図面を参照して説明されることとなり、同様の参照番号は同様のパーツを示している。
【図面の簡単な説明】
【００２４】
【図１】本発明のシートエレメントの第１の実施形態の斜視図。
【図２】図１に図示されているシートエレメントの断面図。
【図３】図２に図示されているシートエレメントの拡大部分を示す図。
【図４】本発明のシートエレメントの第２の実施形態を示す図。
【図５】図４に図示されているシートエレメントの断面図。
【図６】図４に図示されている最終的なシートエレメントの生産を示す図。
【図７】本発明のシートエレメントの第３の実施形態を生産するときに使用するのに適切な金型の斜視図。
【図８】図７に図示されている金型を使用する、本発明のシートエレメントの第３の実施形態の生産を連続的な様式で示す図。
【図９】図７に図示されている金型を使用する、本発明のシートエレメントの第３の実施形態の生産を連続的な様式で示す図。
【図１０】図７に図示されている金型を使用する、本発明のシートエレメントの第３の実施形態の生産を連続的な様式で示す図。
【図１１】図７に図示されている金型を使用する、本発明のシートエレメントの第３の実施形態の生産を連続的な様式で示す図。
【図１２】図７に図示されている金型を使用する、本発明のシートエレメントの第３の実施形態の生産を連続的な様式で示す図。
【図１３】図７〜図１２に図示されている金型とシートエレメントとの修正例を示す図。
【図１４】図７〜図１２に図示されている金型とシートエレメントとの修正例を示す図。
【図１５】本発明の第３の実施形態によるシートエレメントの断面図。
【発明を実施するための形態】
【００２５】
本発明の実施形態が、添付の図面を参照して説明されることとなり、図面において、同様の参照番号は、同様のパーツを示している。その態様のうちの１つでは、本発明は、発泡体基材を備えるパッド付きエレメントに関し、発泡体基材は、その中に配設されている第１の内部表面と、第１の内部表面に対向する第２の内部表面とを有しており、第１の内部表面は、発泡体基材の外側表面と第２の内部表面との間に置かれており、第１の内部表面および第２の内部表面のうちの少なくとも１つが、テクスチャの付いた部分を備える。パッド付きエレメントの好適な実施形態は、以下の特徴のいずれかのうちの任意の１つ、または、任意の２つ以上の組み合わせを含むことが可能である。
【００２６】
第１の内部表面が、テクスチャの付いた部分を備え、第２の内部表面が、実質的にテクスチャが付いていないということ、
第１の内部表面が、実質的にテクスチャが付いておらず、第２の内部表面が、テクスチャの付いた部分を備えるということ、
第１の内部表面と第２の内部表面の両方が、テクスチャの付いた部分を備えるということ、
第１の内部表面と第２の内部表面とが、パッド付きエレメントの静止位置において、離間した関係にあるということ、
第１の内部表面と第２の内部表面とが、パッド付きエレメントの静止位置において、接触関係にあるということ、
発泡体基材が、成形されるということ、
発泡体基材が、単一の発泡体部分から成形されるということ、
テクスチャの付いた部分が、複数のピーク部部分と複数の谷底部部分とを備えるということ、
それぞれのピーク部部分が、頂点部分を備えるということ、
頂点部分が、第１の尖った部分を備えるということ、
頂点部分が、第１の丸みを帯びた部分を備えるということ、
頂点部分が、第１の平坦な部分を備えるということ、
それぞれの谷底部部分が、最下点（nadir）部分を備えるということ、
最下点部分が、第２の尖った部分を備えるということ、
最下点部分が、第２の丸みを帯びた部分を備えるということ、
最下点部分が、第２の平坦な部分を備えるということ、
それぞれのピーク部部分が、頂点部分を備え、それぞれの谷底部部分が、最下点部分を備えるということ、
頂点部分と最下点部分とが、同じプロファイルを備えるということ、
頂点部分と最下点部分とが、異なるプロファイルを備えるということ、
頂点部分が、第１の尖った部分を備えるということ、
頂点部分が、第１の丸みを帯びた部分を備えるということ、
頂点部分が、第１の平坦な部分を備えるということ、
最下点部分が、第２の尖った部分を備えるということ、
最下点部分が、第２の丸みを帯びた部分を備えるということ、
最下点部分が、第２の平坦な部分を備えるということ、
複数のピーク部部分の中のそれぞれのピーク部部分が、実質的に細長いということ、
複数のピーク部部分が、互いに対して実質的に平行に配設されているということ、
複数の谷底部部分の中のそれぞれの谷底部部分が、実質的に細長いということ、
複数のピーク部部分が、第１の一連の細長いピーク部部分と、第２の一連の細長いピーク部部分とを備え、第１の一連と第２の一連とが、互いに対して横断する方向に配設されているということ、
複数のピーク部部分が、第１の一連の細長いピーク部部分と、第２の一連の細長いピーク部部分とを備え、第１の一連と第２の一連とが、互いに対して平行でないように配設されているということ、
複数のピーク部部分が、第１の一連の細長いピーク部部分と、第２の一連の細長いピーク部部分とを備え、第１の一連と第２の一連とが、互いに対して直交して配設されているということ、
複数の谷底部部分が、第１の一連の細長い谷底部部分と、第２の一連の細長い谷底部部分とを備え、第１の一連および第２の一連が、互いに対して横断する方向に配設されているということ、
複数の谷底部部分が、第１の一連の細長い谷底部部分と、第２の一連の細長い谷底部部分とを備え、第１の一連と第２の一連とが、互いに対して平行でないように配設されているということ、
複数の谷底部部分が、第１の一連の細長い谷底部部分と、第２の一連の細長い谷底部部分とを備え、第１の一連と第２の一連とが、互いに対して直交して配設されているということ、
複数のピーク部部分の中のそれぞれのピーク部部分が、実質的に細長く、複数の谷底部部分の中のそれぞれの谷底部部分が、実質的に細長いということ、
複数のピーク部部分と複数の谷底部部分とが、実質的に平行な関係で配設されているということ、
複数のピーク部部分が、複数の実質的に直立した突出部に備えられるということ、
それぞれの突出部の断面が、長方形を備えるということ、
それぞれの突出部の断面が、台形を備えるということ、
それぞれの突出部の断面が、左右対称的な台形を備えるということ、
それぞれの突出部の断面が、オジーブ形状を備えるということ、
隣接する突出部の断面が、スカラップ形状を備えるということ、
隣接する突出部の間の谷底部部分の断面が、スカラップ形状を備えるということ、
それぞれの突出部が、交差ボールトの形状を備えるということ、
複数の突出部が、実質的に同じ形状を備えるということ、
複数の突出部が、実質的に同じ寸法を備えるということ、
複数の突出部が、実質的に同じ形状と同じ寸法とを備えるということ、
複数の突出部が、異なる形状を備えるということ、
複数の突出部が、異なる寸法を備えるということ、
複数の突出部が、異なる形状と異なる寸法とを備えるということ、
複数の突出部が、実質的に同じ形状と異なる寸法とを備えるということ、
複数の突出部が、異なる形状と同じ寸法とを備えるということ、
少なくとも２つの谷底部部分が、互いに接続されているということ、
複数の谷底部部分が、互いに接続されているということ、
少なくとも２つの谷底部部分が、互いから独立しているということ、
複数の谷底部部分が、互いから独立しているということ、
少なくとも２つのピーク部部分が、互いに接続されているということ、
複数のピーク部部分が、互いに接続されているということ、
少なくとも２つのピーク部部分が、互いから独立しているということ、
複数のピーク部部分が、互いから独立しているということ、
テクスチャの付いた部分が、第１の刻み目のあるパターンを備えるということ、
テクスチャの付いた部分が、第１の刻み目のあるパターンと、第２の刻み目のあるパターンとを備え、第１の刻み目のあるパターンと、第２の刻み目のあるパターンとが、互いに対して横断する関係で配設されているということ、
テクスチャの付いた部分が、第１の刻み目のあるパターンと、第２の刻み目のあるパターンとを備え、第１の刻み目のあるパターンと、第２の刻み目のあるパターンとが、互いに対して直交する関係で配設されているということ、
テクスチャの付いた部分が、第１の歯状パターンを備えるということ、
テクスチャの付いた部分が、第１の歯状パターンと、第２の歯状パターンとを備え、第１の歯状パターンと、第２の歯状パターンとが、互いに対して横断する関係で配設されているということ、
テクスチャの付いた部分が、第１の歯状パターンと、第２の歯状パターンとを備え、第１の歯状パターンと、第２の歯状パターンとが、互いに対して直交する関係で配設されているということ、
座席表面エレメントが、複数のセクションを備え、それぞれのセクションが、複数のピーク部部分と、複数の谷底部部分とを備えるということ、
それぞれのセクションの中の複数のピーク部部分が、同じであるということ、
それぞれのセクションの中の複数の谷底部部分が、同じであるということ、
それぞれのセクションの中の複数のピーク部部分および複数の谷底部部分が、同じであるということ、
それぞれのセクションの中の複数のピーク部部分が、異なっているということ、
それぞれのセクションの中の複数の谷底部部分が、異なっているということ、
それぞれのセクションの中の複数のピーク部部分および複数の谷底部部分が、異なっているということ、
パッド付きエレメントが、複数のセクションの一対の隣接するセクションの少なくとも一部分を分離する少なくとも１つの溝部をさらに備えるということ、
発泡体基材が、イソシアネートベースの発泡体を備えるということ、
発泡体基材が、ポリウレタン発泡体を備えるということ、
発泡体基材が、ポリオレフィンベースの発泡体を備えるということ、
発泡体基材が、ポリプロピレン発泡体を備えるということ、
発泡体基材が、ポリエチレン発泡体を備えるということ、
発泡体基材が、均一な密度を備えるということ、および／または、
発泡体基材が、可変の密度を備えるということ。
【００２７】
好適な実施形態では、パッド付きエレメントは、シートエレメントの形式である。この好適な実施形態では、シートエレメントが、外側表面と第１の内部表面とをその中に備えた座席表面部分を備えるということがさらに好ましい。
【００２８】
さらに一層好適な実施形態では、本発明は、上述のシートエレメントを備える車両用シートに関する。これは、車両用シート座部、車両用シート、または、これらの両方を備える完全な車両用シートを含む。
【００２９】
その態様の別の例では、本発明は、成形されたエレメントの生産のための金型に関し、金型は、金型キャビティーを画定するために係合可能な第１の金型部分と第２の金型部分とを備えており、金型は、少なくとも１つのインサートエレメントをさらに備え、インサートエレメントは、テクスチャの付いた表面を有し、成形されたエレメントの中で互いに対して対向する第１の内部表面と第２の内部表面とを生成するように構成されている。金型の好適な実施形態は、以下の特徴のいずれかのうちの任意の１つ、または、任意の２つ以上の組み合わせを含むことが可能である。
【００３０】
テクスチャの付いた表面が、複数のピーク部部分と、複数の谷底部部分とを備えるということ、
それぞれのピーク部が、頂点部分を備えるということ、
頂点部分が、第１の尖った部分を備えるということ、
頂点部分が、第１の丸みを帯びた部分を備えるということ、
頂点部分が、第１の平坦な部分を備えるということ、
それぞれの谷底部が、最下点部分を備えるということ、
最下点部分が、第２の尖った部分を備えるということ、
最下点部分が、第２の丸みを帯びた部分を備えるということ、
最下点部分が、第２の平坦な部分を備えるということ、
それぞれのピーク部が、頂点部分を備え、それぞれの谷底部が、最下点部分を備えるということ、
頂点部分と最下点部分とが、同じプロファイルを備えるということ、
頂点部分と最下点部分とが、異なるプロファイルを備えるということ、
頂点部分が、第１の尖った部分を備えるということ、
頂点部分が、第１の丸みを帯びた部分を備えるということ、
頂点部分が、第１の平坦な部分を備えるということ、
最下点部分が、第２の尖った部分を備えるということ、
最下点部分が、第２の丸みを帯びた部分を備えるということ、
最下点部分が、第２の平坦な部分を備えるということ、
複数のピーク部部分の中のそれぞれのピーク部部分が、実質的に細長いということ、
複数のピーク部部分が、互いに対して実質的に平行に配設されているということ、
複数の谷底部部分の中のそれぞれの谷底部部分が、実質的に細長いということ、
複数のピーク部部分が、第１の一連の細長いピーク部部分と、第２の一連の細長いピーク部部分とを備え、第１の一連と第２の一連とが、互いに対して横断する方向に配設されているということ、
複数のピーク部部分が、第１の一連の細長いピーク部部分と、第２の一連の細長いピーク部部分とを備え、第１の一連と第２の一連とが、互いに対して平行でないように配設されているということ、
複数のピーク部部分が、第１の一連の細長いピーク部部分と、第２の一連の細長いピーク部部分とを備え、第１の一連と第２の一連とが、互いに対して直交して配設されているということ、
複数の谷底部部分が、第１の一連の細長い谷底部部分と、第２の一連の細長い谷底部部分とを備え、第１の一連と第２の一連とが、互いに対して横断する方向に配設されているということ、
複数の谷底部部分が、第１の一連の細長い谷底部部分と、第２の一連の細長い谷底部部分とを備え、第１の一連と第２の一連とが、互いに対して平行でないように配設されているということ、
複数の谷底部部分が、第１の一連の細長い谷底部部分と、第２の一連の細長い谷底部部分とを備え、第１の一連と第２の一連とが、互いに対して直交して配設されているということ、
複数のピーク部部分の中のそれぞれのピーク部部分が、実質的に細長く、複数の谷底部部分の中のそれぞれの谷底部部分が、実質的に細長いということ、
複数のピーク部部分と複数の谷底部部分とが、実質的に平行な関係で配設されているということ、
複数のピーク部部分が、複数の実質的に直立した突出部に備えられるということ、
それぞれの突出部の断面が、長方形を備えるということ、
それぞれの突出部の断面が、台形を備えるということ、
それぞれの突出部の断面が、左右対称的な台形を備えるということ、
それぞれの突出部の断面が、オジーブ形状を備えるということ、
隣接する突出部の断面が、スカラップ形状を備えるということ、
隣接する突出部の間の谷底部部分の断面が、スカラップ形状を備えるということ、
それぞれの突出部が、交差ボールトの形状を備えるということ、
複数の突出部が、実質的に同じ形状を備えるということ、
複数の突出部が、実質的に同じ寸法を備えるということ、
複数の突出部が、実質的に同じ形状と同じ寸法とを備えるということ、
複数の突出部が、異なる形状を備えるということ、
複数の突出部が、異なる寸法を備えるということ、
複数の突出部が、異なる形状と異なる寸法とを備えるということ、
複数の突出部が、実質的に同じ形状と異なる寸法とを備えるということ、
複数の突出部が、異なる形状と同じ寸法とを備えるということ、
少なくとも２つの谷底部部分が、互いに接続されているということ、
複数の谷底部部分が、互いに接続されているということ、
少なくとも２つの谷底部部分が、互いから独立しているということ、
複数の谷底部部分が、互いから独立しているということ、
少なくとも２つのピーク部部分が、互いに接続されているということ、
複数のピーク部部分が、互いに接続されているということ、
少なくとも２つのピーク部部分が、互いから独立しているということ、
複数のピーク部部分が、互いから独立しているということ、
座席表面成形エレメントが、第１の刻み目のあるパターンを備えるということ、
座席表面成形エレメントが、第１の刻み目のあるパターンと、第２の刻み目のあるパターンとを備え、第１の刻み目のあるパターンと、第２の刻み目のあるパターンとが、互いに対して横断する関係で配設されているということ、
座席表面成形エレメントが、第１の刻み目のあるパターンと、第２の刻み目のあるパターンとを備え、第１の刻み目のあるパターンと、第２の刻み目のあるパターンとが、互いに対して直交する関係で配設されているということ、
座席表面成形エレメントが、第１の歯状パターンを備えるということ、
座席表面成形エレメントが、第１の歯状パターンと、第２の歯状パターンとを備え、第１の歯状パターンと、第２の歯状パターンとが、互いに対して横断する関係で配設されているということ、
座席表面成形エレメントが、第１の歯状パターンと、第２の歯状パターンとを備え、第１の歯状パターンと、第２の歯状パターンとが、互いに対して直交する関係で配設されているということ、
座席表面エレメントが、複数のセクションを備え、それぞれのセクションが、複数のピーク部部分と、複数の谷底部部分とを備えるということ、
それぞれのセクションの中の複数のピーク部部分が、同じであるということ、
それぞれのセクションの中の複数の谷底部部分が、同じであるということ、
それぞれのセクションの中の複数のピーク部部分および複数の谷底部部分が、同じであるということ、
それぞれのセクションの中の複数のピーク部部分が、異なっているということ、
それぞれのセクションの中の複数の谷底部部分が、異なっているということ、
それぞれのセクションの中の複数のピーク部部分および複数の谷底部部分が、異なっているということ、
少なくとも１つのインサートエレメントが、第１の金型部分および第２の金型部分のうちの１つに付けられているということ、
少なくとも１つのインサートエレメントが、第１の金型部分および第２の金型部分のうちの１つまたは両方に対して可動であり、成形されたエレメントの離型を容易にするということ、
少なくとも１つのインサートエレメントが、第１の金型部分および第２の金型部分のうちの１つまたは両方に対して枢動自在に可動であり、成形されたエレメントの離型を容易にするということ、
第１の金型部分が、蓋部であり、第２の金型部分が、ボウル部であるということ、
少なくとも１つのインサートエレメントが、ボウル部に付けられているということ、
少なくとも１つのインサートエレメントが、ボウル部に対して可動であり、成形されたエレメントの離型を容易にするということ、
少なくとも１つのインサートエレメントが、ボウル部に対して枢動自在に可動であり、
成形されたエレメントの離型を容易にするということ、および／または、
金型が、複数のインサートエレメントを備え、それぞれのインサートエレメントが、テクスチャの付いた表面を備えるということ。
【００３１】
その態様の別の例では、本発明は、上述の中で成形されるエレメントの生産のためのプロセスに関し、
（ｉ）金型キャビティーの中に成形用組成物を注入するステップと、
（ｉｉ）少なくとも１つのインサートエレメントを成形用組成物で実質的に完全に取り囲むステップと、
（ｉｉｉ）成形用組成物を硬化させ、成形されたエレメントを生産するステップと
を備える。
【００３２】
その態様の別の例では、本発明は、上述の中で発泡させられるエレメントの生産のためのプロセスに関し、
（ｉ）金型キャビティーの中に発泡性組成物を注入するステップと、
（ｉｉ）発泡性組成物を膨張させるステップと、
（ｉｉｉ）少なくとも１つのインサートエレメントを発泡性組成物で実質的に完全に取り囲むステップと
を備える。
【００３３】
発泡性組成物が、液体であるということが好ましい。発泡性組成物が、発泡性のポリウレタン組成物を備えるということがより好ましい。
【００３４】
本発明の上述のプロセス態様では、発泡させられるエレメントが、シートエレメントであるであるということが好ましく、シートエレメント、車両用シート座部、車両用シート背部、または、これらの組み合わせを備える車両用シートであるということがより好ましい。
【００３５】
したがって、本発明の非常に好適な態様は、シートエレメントに関する。シートエレメントが、車両用または乗客シートに備えられるということが好ましい。本明細書を通して使用されているように、「シート」の用語は、その従来の意味を有することが意図されており、座部もしくはクッション（すなわち、乗員が座るシートの部分）と、背もたれ部もしくはバックレスト（すなわち、乗員の背中を支持するシートの部分）とのうちの１つまたは両方を含む。自動車、航空機、および、関連の産業において知られているように、「シート」は、クッション（または、座部）と背もたれ部（またはバックレスト）の両方を含む。したがって、「シート」の用語は、クッション（もしくは、座部）、背もたれ部（もしくは、バックレスト）、または、クッション（、もしくは座部）と背もたれ部（もしくは、バックレスト）とを備えるユニット構造体などのようなシートエレメントを含む。また、シートエレメントは、クッション（もしくは、座部）、背もたれ部（もしくは、バックレスト）、ヘッドレスト、および／または、アームレストであると考えられ得るということも述べられていることとなる。
【００３６】
本発明の非常に好適な実施形態が、車両用シートエレメント、特に、シートクッション（または、座部）を参照して図示されることとなるが、本発明のシートエレメントは、家庭用家具および事務所用家具、スタジアム用座席、劇場用座席などのような、車両用でない用途で使用され得るということが認識されるであろう。
【００３７】
図１〜図３を参照すると、シートエレメント１００が図示されている。
【００３８】
シートエレメント１００は、発泡体基材１０５を備える。発泡体エレメント１０５は、ポリウレタン発泡体などのような従来の発泡体材料から作製することが可能である。
【００３９】
発泡体基材１０５は、その中央領域に配設されている凹部１１０を備える。この凹部の底部表面は、テクスチャの付いた部分１１５を有している。図示されている実施形態では、テクスチャの付いた部分１１５は、多数の平坦なピーク部と平坦な谷底部とによって確定された一連の細長い溝部を有している。
【００４０】
発泡体基材１００は、従来の様式（例えば、上述のＳａｎ  Ｍｉｇｕｅｌを参照）で生産することが可能である。
【００４１】
上述されているように、発泡体基材１０５は、成形された発泡体であることが好ましく、ポリウレタンから作製されることが、より好ましい。この好適な実施形態では、テクスチャの付いた部分１１５は、上述のスキン付きの表面を有することとなる。
【００４２】
図１に示されているように、発泡体基材１０５の上方に配設されているのは、座席表面部分１２０である。
【００４３】
座席表面部分１２０は、発泡体基材１０５から独立して生産することが可能であり、ポリウレタン発泡体などのような従来の発泡体材料から作製することが可能である。
【００４４】
発泡体基材１０５と同じか、または、発泡体基材１０５とは異なる発泡体から、座席表面部分１２０を生産することが可能である。さらに、座席表面部分１２０と発泡体基材１０５とは、同じまたは異なる密度を有することが可能である。座席表面部分１２０の下部は、テクスチャの付いた表面１２５を備える。この好適な実施形態では、テクスチャの付いた部分１２５は、上述のスキン付きの表面を有することとなる。
【００４５】
テクスチャの付いた表面１１５とテクスチャの付いた表面１２５とは、実質的に補完的であることが好ましい。
【００４６】
続けて図１を参照すると、シートエレメント１００を生産するときに、座席表面部分１２０が矢印Ａの方向に下げられ、テクスチャの付いた表面１１５とテクスチャの付いた表面１２５との間に、「嵌め合い」が生成されるようになっていることが望ましい（図２参照）。図２では、テクスチャの付いた表面１１５、１２５の間に、境界面１３０が生成されている。この境界面は、シートエレメント１００のＡ−表面の下方にあり、一方、図示されている実施形態では、実際のＡ−表面は、比較的にテクスチャは付いていない。シートエレメント１００がカバーされると、「リードスルー」の発生が、除去または軽減される。有利には、シートエレメント１００のＡ−表面の下方に境界面１３０を設けることが、シートエレメント１００の外側部分と比較して、シートエレメントの中央部分１１０により硬い感触を提供する。
【００４７】
当然ながら、当業者は、テクスチャの付いた表面１１５、１２５の断面に関して異なる形状を使用し、シートエレメント１００に与えられる快適性と感触とのタイプを修正することが可能であるということを理解することとなる。発泡体のＡ−表面の下方に生成される内部境界面を有する、いわゆる１つまたは複数のゾーンを使用し、シートエレメント１００の中に、快適性と感触との異なるゾーンを提供することも可能である。この点に関して、シートエレメント１００のＡ−表面の下方にある、発泡体基材１０５と座席表面部分１２０との間の境界面を生成するアプローチを使用して、Ｓａｎ  Ｍｉｇｕｅｌで説明されているテクスチャの付いた表面のすべてをシートエレメント１００で利用することが可能である。
【００４８】
図４〜図６を参照すると、シートエレメント２００が図示されている。
【００４９】
図４〜図６では、図１〜図３に出現している参照番号と同じ最後の二桁を有する参照番号は、同様のパーツを示すことが意図されている。
【００５０】
図１〜図３に図示されているシートエレメント１００と、図４〜図６に図示されているシートエレメントとの間の主要な相違点は、シートエレメント２００の中の座席表面部分２２０が、接続部分２５０によって、発泡体基材２０５に取り付けられているということである。
【００５１】
シートエレメント２００の利点は、シートエレメント２００が、単一の金型で生産されることが可能であり、それによって、シートエレメント１００を生産することに関連するコストに対する増加を回避することであるということが、当業者には明らかであろう。
【００５２】
発泡体基材２０５と座席表面部分２２０とに関して、シートエレメント１００を参照して上述されている材料の選定が、シートエレメント２００に適用される。
【００５３】
同様に、テクスチャの付いた表面２１５、２２５は、シートエレメント１００を参照して上述されているのと同じアプローチを使用して選択することが可能である。
【００５４】
シートエレメント２００を生産することが望まれるときには、座席表面部分２２０が、矢印Ｂの方向に折り畳まれる（図４および図６参照）。座席表面部分２２０が、完全に折り重ねられ、所定の様式で発泡体基材２０５の凹部部分２１０の中へ嵌め合わせられると、それによって、シートエレメント１００を参照して上述されているように、テクスチャの付いた表面２１５、２２５が協働して境界面を形成する。
【００５５】
発泡体基材１０５、２０５のテクスチャの付いた表面１１５、２１５と、座席表面部分１２０、２２０のテクスチャの付いた表面１２５、２２５との間の境界面が、実質的に補完的であるということが、図１〜図６から見ることが可能である。このことは好ましいが、厳密に言えば、補完的でないが、いわゆる干渉または摩擦嵌め合いを生成する形状を選択することが可能である。重要なのは、発泡体基材１０５、２０５のテクスチャの付いた表面１１５、２１５と、座席表面部分１２０、２２０のテクスチャの付いた表面１２５、２２５との形状は、トリムカバーがシートエレメント１００、２００に適用され得るまで、ピースを一緒に固定するように選択されるべきであるということである。
【００５６】
図７を参照すると、シートエレメント３００が図示されている。シートエレメント３００は、Ａ−表面３０５と、Ａ−表面３０５に対向するＢ−表面３１０とを備える。見ることができるように、Ａ−表面は、相対的にテクスチャが付いていない。
【００５７】
シートエレメント３００は、発泡体基材３１５を備える。示されているように、発泡体基材３１５は、キャビティー３２０を備え、キャビティー３２０は、テクスチャの付いた内部表面３２５から構成されており、テクスチャの付いた内部表面３２５は、テクスチャの付いていない内部表面３３０に対して離隔した関係にある。
【００５８】
テクスチャの付いた内部表面３２５は、一連のピーク部３２７と谷底部３２９とから構成されている。この点に関して、使用される表現法では、「ピーク部」は、キャビティー３２０の中へ方向付けられ、一方、「谷底部」は、キャビティー３２０から離れる方向に方向付けられる。
【００５９】
図示されている実施形態では、シートエレメント３００の静止状態（すなわち、シートエレメント３００の上に座っていない状態）では、テクスチャの付いた内部表面３２５のピーク部３２７は、テクスチャの付いていない内部表面３３０に接触していない。たとえシートエレメント３００の上に乗員が座っていないとしても、テクスチャの付いた内部表面３２５のピーク部３２７がテクスチャの付いていない内部表面３３０に接触するように、シートエレメント３００を修正することが可能であるということが、当業者によって理解されるべきである。
【００６０】
シートエレメント３００は、本発明のパッド付きエレメントのとりわけ好適な実施形態である。この点に関して、発泡体基材３１５のキャビティー３２０の中にテクスチャの付いた内部表面３２５を設けることは、（例えば、直接的にＡ−表面３０５の上にテクスチャの付いた表面を設置することと比較して、）上述の「リードスルー」の発生を除去または軽減しながら、シートエレメント３００の改善された快適性を提供するということが留意されるべきである。この点に関して、精密なテクスチャパターンは、修正されることが可能であり、乗員がシートエレメント３００の上に座るときに、異なるテクスチャの異なるゾーンが、異なる快適性と感触とをＡ−表面３０５に与えるために使用されることが可能である（例えば、使用することが可能なテクスチャの付いた表面の様々な例の説明に関して、上述のＳａｎ  Ｍｉｇｕｅｌを参照のこと）。
【００６１】
図示されているように、シートエレメント３００は、単一の発泡体基材３１５から作製されている（これは、本発明のパッド付きエレメントの好適な実施形態である）。当然ながら、別個の発泡体エレメントを連結することによって、または、図１〜図３および図４〜図６を参照してそれぞれ上述されているような、いわゆるフラップオーバー（flap-over）アプローチを使用することによって、図示されているこの実施形態を修正することが可能である。
【００６２】
図８〜図１３を参照すると、シートエレメント３００を生産するための金型４００が図示されている。したがって、金型４００は、蓋部４０５とボウル部４１０とを備える。とりわけ図９および図１０に図示されているように、蓋部４０５とボウル部４１０とは、開位置（図９）と閉位置（図１０）との間で、ヒンジ４０７（または、他の適切な手段）を介して、枢動配置で連結されている。金型４００が閉められると、金型キャビティー４２０が画定される。
【００６３】
図９および図１０に示されているように、インサートエレメント４１５が、枢動エレメント４１７を介して、ボウル部４１０に装着されている。インサートエレメント４１５は、テクスチャの付いた表面４２０と平面的な表面４３０とを備える。テクスチャの付いた表面４２０は、一連の細長い隆起エレメント４２２を備える。細長い隆起エレメント４２２の隣接する組は、谷底部部分４２４によって分離されている。
【００６４】
図１１〜図１３は、図７に図示されているシートエレメント３００などのような、パッド付きエレメントの生産を、連続的な様式で図示している。したがって、最初のステップにおいて、発泡性組成物が、適切なノズル４０２（図８）からボウル部４１０の中へ注入される。蓋部４０５とボウル部４１０とが閉められ、発泡性組成物が、膨張させられ、図１１に示されているような金型キャビティー４０９を充填し、発泡部分４４０を生産する。
【００６５】
次に、図１２を参照すると、蓋部４０５が、旋回して開けられる。ほぼ同時に、インサートエレメント４１５も、図１２に示されているように、蓋部４０５に向かって上向きの方向に枢動させられる。次いで、発泡体部分４４０が、金型４００から矢印Ａの方向に取り外される。
【００６６】
金型４００から取り外された後の発泡体部分４４０が、図１３に示されている。ピーク部分４２７が、発泡体部分４４０の中に示されており、インサートエレメント４１５の細長い隆起エレメント４２２間の谷底部部分４２４を充填する発泡体を表している。
【００６７】
図１４および図１５を参照すると、金型５００が図示されており、金型５００は、図８〜図１３を参照して上述されている金型４００の修正例である。図１４および図１５では、図８〜図１３に出現している参照番号と同じ最後の二桁を有する参照番号は、同様のパーツを示すことが意図されている。したがって、例えば、金型５００は、蓋部５０５とボウル部５１０とを備える。蓋部５０５とボウル部５１０とは、ヒンジ５０７を介して枢動配置になっている。
【００６８】
示されているように、金型４００と比較した金型５００の修正箇所は、金型５００の中に２つのインサートエレメント５１５ａ、５１５ｂを設けているということである（参考、金型４００の中の単一のインサートエレメント４１５）。インサートエレメントは、同じテクスチャの付いた表面５２０ａ、５２０ｂを有することが可能であり、または、テクスチャの付いた表面は、異なることが可能である。
【００６９】
例えば、発泡体部分５４０が大きい場合には、複数のインサートエレメント５１５ａ、５１５ｂを使用することが賢明である可能性がある。加えて、または、代替的に、テクスチャの付いた表面５２０ａ、５２０ｂに関して異なるテクスチャパターンを使用し、異なる快適性の特性を発泡体エレメント５２０に伝達するということが可能である。
【００７０】
説明目的の実施形態と例を参照して本発明が説明されてきたが、説明は、限定する意味で解釈されるべきではないということが意図されている。したがって、説明目的の実施形態の様々な修正例と、本発明の他の実施形態とが、本明細書を参照すれば、当業者には明らかであろう。したがって、添付の特許請求の範囲は、任意のそのような修正例または実施形態をカバーすることとなるということが考慮される。さらに、請求項のすべては、本明細書において、好適な実施形態の説明の中に参照により組み込まれる。
【００７１】
本明細書で参照されるすべての刊行物、特許、および、特許出願は、あたかもそれぞれの個々の刊行物、特許、または、特許出願が、具体的におよび個別的に、その全体が参照により組み込まれるように示されているかのように、同程度にその全体が参照により組み込まれている。
【図１】
2018075366.tif 000003
【図２】
2018075366.tif 000004
【図３】
2018075366.tif 000005
【図４】
2018075366.tif 000006
【図５】
2018075366.tif 000007
【図６】
2018075366.tif 000008
【図７】
2018075366.tif 000009
【図８】
2018075366.tif 000010
【図９】
2018075366.tif 000011
【図１０】
2018075366.tif 000012
【図１１】
2018075366.tif 000013
【図１２】
2018075366.tif 000014
【図１３】
2018075366.tif 000015
【図１４】
2018075366.tif 000016
【図１５】
2018075366.tif 000017
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
発泡体基材を備えるパッド付きエレメントであって、前記発泡体基材は、その中に配設されている第１の内部表面と、前記第１の内部表面に対向する第２の内部表面とを有しており、前記第１の内部表面は、前記発泡体基材の外側表面と前記第２の内部表面との間に置かれており、前記第１の内部表面および前記第２の内部表面のうちの少なくとも１つが、テクスチャの付いた部分を備える、パッド付きエレメント。
【手続補正２】
【補正対象書類名】明細書
【補正対象項目名】００７１
【補正方法】変更
【補正の内容】
【００７１】
本明細書で参照されるすべての刊行物、特許、および、特許出願は、あたかもそれぞれの個々の刊行物、特許、または、特許出願が、具体的におよび個別的に、その全体が参照により組み込まれるように示されているかのように、同程度にその全体が参照により組み込まれている。
以下に、出願当初の特許請求の範囲に記載の事項を、そのまま、付記しておく。
［１］  発泡体基材を備えるパッド付きエレメントであって、前記発泡体基材は、その中に配設されている第１の内部表面と、前記第１の内部表面に対向する第２の内部表面とを有しており、前記第１の内部表面は、前記発泡体基材の外側表面と前記第２の内部表面との間に置かれており、前記第１の内部表面および前記第２の内部表面のうちの少なくとも１つが、テクスチャの付いた部分を備える、パッド付きエレメント。
［２］  前記第１の内部表面が、テクスチャの付いた部分を備え、前記第２の内部表面が、実質的にテクスチャが付いていない、［１］に記載のパッド付きエレメント。
［３］  前記第１の内部表面が、実質的にテクスチャが付いておらず、前記第２の内部表面が、テクスチャの付いた部分を備える、［１］に記載のパッド付きエレメント。
［４］  前記第１の内部表面と前記第２の内部表面の両方が、テクスチャの付いた部分を備える、［１］に記載のパッド付きエレメント。
［５］  前記第１の内部表面と前記第２の内部表面とが、前記パッド付きエレメントの静止位置において、離間した関係にある、［１］〜［４］のいずれか一項に記載のパッド付きエレメント。
［６］  前記第１の内部表面と前記第２の内部表面とが、前記パッド付きエレメントの静止位置において、接触関係にある、［１］〜［４］のいずれか一項に記載のパッド付きエレメント。
［７］  前記発泡体基材が、成形される、［１］〜［６］のいずれか一項に記載のパッド付きエレメント。
［８］  前記発泡体基材が、単一の発泡体部分から成形される、［１］〜［６］のいずれか一項に記載のパッド付きエレメント。
［９］  前記テクスチャの付いた部分が、複数のピーク部部分と複数の谷底部部分とを備える、［１］〜［８］のいずれか一項に記載のパッド付きエレメント。
［１０］  それぞれのピーク部部分が、頂点部分を備える、［９］に記載のパッド付きエレメント。
［１１］  前記頂点部分が、第１の尖った部分を備える、［１０］に記載のパッド付きエレメント。
［１２］  前記頂点部分が、第１の丸みを帯びた部分を備える、［１０］に記載のパッド付きエレメント。
［１３］  前記頂点部分が、第１の平坦な部分を備える、［１０］に記載のパッド付きエレメント。
［１４］  それぞれの谷底部部分が、最下点部分を備える、［９］〜［１４］のいずれか一項に記載のパッド付きエレメント。
［１５］  前記最下点部分が、第２の尖った部分を備える、［１４］に記載のパッド付きエレメント。
［１６］  前記最下点部分が、第２の丸みを帯びた部分を備える、［１４］に記載のパッド付きエレメント。
［１７］  前記最下点部分が、第２の平坦な部分を備える、［１４］に記載のパッド付きエレメント。
［１８］  それぞれのピーク部部分が、頂点部分を備え、それぞれの谷底部部分が、最下点部分を備える、［９］に記載のパッド付きエレメント。
［１９］  前記頂点部分と前記最下点部分とが、同じプロファイルを備える、［１８］に記載のパッド付きエレメント。
［２０］  前記頂点部分と前記最下点部分とが、異なるプロファイルを備える、［１８］に記載のパッド付きエレメント。
［２１］  前記頂点部分が、第１の尖った部分を備える、［１８］〜［２０］のいずれか一項に記載のパッド付きエレメント。
［２２］  前記頂点部分が、第１の丸みを帯びた部分を備える、［１８］〜［２０］のいずれか一項に記載のパッド付きエレメント。
［２３］  前記頂点部分が、第１の平坦な部分を備える、［１８］〜［２０］のいずれか一項に記載のパッド付きエレメント。
［２４］  前記最下点部分が、第２の尖った部分を備える、［１８］〜［２３］のいずれか一項に記載のパッド付きエレメント。
［２５］  前記最下点部分が、第２の丸みを帯びた部分を備える、［１８］〜［２３］のいずれか一項に記載のパッド付きエレメント。
［２６］  前記最下点部分が、第２の平坦な部分を備える、［１８］〜［２３］のいずれか一項に記載のパッド付きエレメント。
［２７］  前記複数のピーク部部分の中のそれぞれのピーク部部分が、実質的に細長い、［９］〜［２６］のいずれか一項に記載のパッド付きエレメント。
［２８］  前記複数のピーク部部分が、互いに対して実質的に平行に配設されている、［２７］に記載のパッド付きエレメント。
［２９］  前記複数の谷底部部分の中のそれぞれの谷底部部分が、実質的に細長い、［９］〜［２８］のいずれか一項に記載のパッド付きエレメント。
［３０］  前記複数のピーク部部分が、第１の一連の細長いピーク部部分と、第２の一連の細長いピーク部部分とを備え、前記第１の一連と前記第２の一連とが、互いに対して横断する方向に配設されている、［９］〜［２９］のいずれか一項に記載のパッド付きエレメント。
［３１］  前記複数のピーク部部分が、第１の一連の細長いピーク部部分と、第２の一連の細長いピーク部部分とを備え、前記第１の一連と前記第２の一連とが、互いに対して平行でないように配設されている、［９］〜［２９］のいずれか一項に記載のパッド付きエレメント。
［３２］  前記複数のピーク部部分が、第１の一連の細長いピーク部部分と、第２の一連の細長いピーク部部分とを備え、前記第１の一連と前記第２の一連とが、互いに対して直交して配設されている、［９］〜［２９］のいずれか一項に記載のパッド付きエレメント。
［３３］  前記複数の谷底部部分が、第１の一連の細長い谷底部部分と、第２の一連の細長い谷底部部分とを備え、前記第１の一連と前記第２の一連とが、互いに対して横断する方向に配設されている、［９］〜［２９］のいずれか一項に記載のパッド付きエレメント。
［３４］  前記複数の谷底部部分が、第１の一連の細長い谷底部部分と、第２の一連の細長い谷底部部分とを備え、前記第１の一連と前記第２の一連とが、互いに対して平行でないように配設されている、［９］〜［２９］のいずれか一項に記載のパッド付きエレメント。
［３５］  前記複数の谷底部部分が、第１の一連の細長い谷底部部分と、第２の一連の細長い谷底部部分とを備え、前記第１の一連と前記第２の一連とが、互いに対して直交して配設されている、［９］〜［２９］のいずれか一項に記載のパッド付きエレメント。
［３６］  前記複数のピーク部部分の中のそれぞれのピーク部部分が、実質的に細長く、前記複数の谷底部部分の中のそれぞれの谷底部部分が、実質的に細長い、［９］〜［２９］のいずれか一項に記載のパッド付きエレメント。
［３７］  前記複数のピーク部部分と前記複数の谷底部部分とが、実質的に平行な関係で配設されている、［３６］に記載のパッド付きエレメント。
［３８］  前記複数のピーク部部分が、複数の実質的に直立した突出部に備えられる、［９］〜［２９］のいずれか一項に記載のパッド付きエレメント。
［３９］  それぞれの突出部の断面が、長方形を備える、［３８］に記載のパッド付きエレメント。
［４０］  それぞれの突出部の断面が、台形を備える、［３８］に記載のパッド付きエレメント。
［４１］  それぞれの突出部の断面が、左右対称的な台形を備える、［３８］に記載のパッド付きエレメント。
［４２］  それぞれの突出部の断面が、オジーブ形状を備える、［３８］に記載のパッド付きエレメント。
［４３］  隣接する突出部の断面が、スカラップ形状を備える、［３８］に記載のパッド付きエレメント。
［４４］  隣接する突出部の間の谷底部部分の断面が、スカラップ形状を備える、［３８］に記載のパッド付きエレメント。
［４５］  それぞれの突出部が、交差ボールトの形状を備える、［３８］に記載のパッド付きエレメント。
［４６］  前記複数の突出部が、実質的に同じ形状を備える、［３８］〜［４５］のいずれか一項に記載のパッド付きエレメント。
［４７］  前記複数の突出部が、実質的に同じ寸法を備える、［３８］〜［４５］のいずれか一項に記載のパッド付きエレメント。
［４８］  前記複数の突出部が、実質的に同じ形状と同じ寸法とを備える、［３８］〜［４５］のいずれか一項に記載のパッド付きエレメント。
［４９］  前記複数の突出部が、異なる形状を備える、［３８］〜［４５］のいずれか一項に記載のパッド付きエレメント。
［５０］  前記複数の突出部が、異なる寸法を備える、［３８］〜［４５］のいずれか一項に記載のパッド付きエレメント。
［５１］  前記複数の突出部が、異なる形状と異なる寸法とを備える、［３８］〜［４５］のいずれか一項に記載のパッド付きエレメント。
［５２］  前記複数の突出部が、実質的に同じ形状と異なる寸法とを備える、［３８］〜［４５］のいずれか一項に記載のパッド付きエレメント。
［５３］  前記複数の突出部が、異なる形状と同じ寸法とを備える、［３８］〜［４５］のいずれか一項に記載のパッド付きエレメント。
［５４］  少なくとも２つの谷底部部分が、互いに接続されている、［９］〜［５３］のいずれか一項に記載のパッド付きエレメント。
［５５］  前記複数の谷底部部分が、互いに接続されている、［９］〜［５３］のいずれか一項に記載のパッド付きエレメント。
［５６］  少なくとも２つの谷底部部分が、互いから独立している、［９］〜［５３］のいずれか一項に記載のパッド付きエレメント。
［５７］  前記複数の谷底部部分が、互いから独立している、［９］〜［５３］のいずれか一項に記載のパッド付きエレメント。
［５８］  少なくとも２つのピーク部部分が、互いに接続されている、［９］〜［５３］のいずれか一項に記載のパッド付きエレメント。
［５９］  前記複数のピーク部部分が、互いに接続されている、［９］〜［５３］のいずれか一項に記載のパッド付きエレメント。
［６０］  少なくとも２つのピーク部部分が、互いから独立している、［９］〜［５３］のいずれか一項に記載のパッド付きエレメント。
［６１］  前記複数のピーク部部分が、互いから独立している、［９］〜［５３］のいずれか一項に記載のパッド付きエレメント。
［６２］  前記テクスチャの付いた部分が、第１の刻み目のあるパターンを備える、［９］〜［５３］のいずれか一項に記載のパッド付きエレメント。
［６３］  前記テクスチャの付いた部分が、第１の刻み目のあるパターンと、第２の刻み目のあるパターンとを備え、前記第１の刻み目のあるパターンと、前記第２の刻み目のあるパターンとが、互いに対して横断する関係で配設されている、［９］〜［６２］のいずれか一項に記載のパッド付きエレメント。
［６４］  前記テクスチャの付いた部分が、第１の刻み目のあるパターンと、第２の刻み目のあるパターンとを備え、前記第１の刻み目のあるパターンと、前記第２の刻み目のあるパターンとが、互いに対して直交する関係で配設されている、［９］〜［６２］のいずれか一項に記載のパッド付きエレメント。
［６５］  前記テクスチャの付いた部分が、第１の歯状パターンを備える、［９］〜［６２］のいずれか一項に記載のパッド付きエレメント。
［６６］  前記テクスチャの付いた部分が、第１の歯状パターンと、第２の歯状パターンとを備え、前記第１の歯状パターンと、前記第２の歯状パターンとが、互いに対して横断する関係で配設されている、［９］〜［６２］のいずれか一項に記載のパッド付きエレメント。
［６７］  前記テクスチャの付いた部分が、第１の歯状パターンと、第２の歯状パターンとを備え、前記第１の歯状パターンと、前記第２の歯状パターンとが、互いに対して直交する関係で配設されている、［９］〜［６２］のいずれか一項に記載のパッド付きエレメント。
［６８］  座席表面エレメントが、複数のセクションを備え、それぞれのセクションが、複数のピーク部部分と、複数の谷底部部分とを備える、［９］〜［６７］のいずれか一項に記載のパッド付きエレメント。
［６９］  それぞれのセクションの中の前記複数のピーク部部分が、同じである、［６８］に記載のパッド付きエレメント。
［７０］  それぞれのセクションの中の前記複数の谷底部部分が、同じである、［６８］に記載のパッド付きエレメント。
［７１］  それぞれのセクションの中の前記複数のピーク部部分、および、前記複数の谷底部部分が、同じである、［６８］に記載のパッド付きエレメント。
［７２］  それぞれのセクションの中の前記複数のピーク部部分が、異なっている、［６８］に記載のパッド付きエレメント。
［７３］  それぞれのセクションの中の前記複数の谷底部部分が、異なっている、［６８］に記載のパッド付きエレメント。
［７４］  それぞれのセクションの中の前記複数のピーク部部分、および、前記複数の谷底部部分が、異なっている、［６８］に記載のパッド付きエレメント。
［７５］  前記複数のセクションの一対の隣接するセクションの少なくとも一部分を分離する少なくとも１つの溝部をさらに備える、［６８］〜［７４］のいずれか一項に記載のパッド付きエレメント。
［７６］  前記発泡体基材が、イソシアネートベースの発泡体を備える、［１］〜［７５］のいずれか一項に記載のパッド付きエレメント。
［７７］  前記発泡体基材が、ポリウレタン発泡体を備える、［１］〜［７５］のいずれか一項に記載のパッド付きエレメント。
［７８］  前記発泡体基材が、ポリオレフィンベースの発泡体を備える、［１］〜［７５］のいずれか一項に記載のパッド付きエレメント。
［７９］  前記発泡体基材が、ポリプロピレン発泡体を備える、［１］〜［７５］のいずれか一項に記載のパッド付きエレメント。
［８０］  前記発泡体基材が、ポリエチレン発泡体を備える、［１］〜［７５］のいずれか一項に記載のパッド付きエレメント。
［８１］  前記発泡体基材が、均一な密度を備える、［１］〜［８０］のいずれか一項に記載のパッド付きエレメント。
［８２］  前記発泡体基材が、可変の密度を備える、［１］〜［８０］のいずれか一項に記載のパッド付きエレメント。
［８３］  ［１］〜［８２］のいずれか一項に記載のパッド付きエレメントを備えるシートエレメント。
［８４］  前記外側表面と前記第１の内部表面とをその中に備えた座席表面部分を備える、［８３］に記載のシートエレメント。
［８５］  ［８３］〜［８４］のいずれか一項に記載のシートエレメントを備える車両用シート。
［８６］  ［８３］〜［８４］のいずれか一項に記載のシートエレメントを備える車両用シート座部。
［８７］  ［８３］〜［８４］のいずれか一項に記載のシートエレメントを備える車両用シート背部。
［８８］  ［８３］〜［８４］のいずれか一項に記載のシートエレメントを備えるシート座部。
［８９］  ［８３］〜［８４］のいずれか一項に記載のシートエレメントを備えるシート背部。
［９０］  成形されたエレメントの生産のための金型であって、前記金型は、金型キャビティーを画定するために係合可能な第１の金型部分と第２の金型部分とを備えており、前記金型は、少なくとも１つのインサートエレメントをさらに備え、前記インサートエレメントは、テクスチャの付いた表面を有し、成形されたエレメントの中で互いに対して対向する第１の内部表面と第２の内部表面とを生成するように構成されている、金型。
［９１］  前記テクスチャの付いた表面が、複数のピーク部部分と、複数の谷底部部分とを備える、［９０］に記載の金型。
［９２］  それぞれのピーク部が、頂点部分を備える、［９１］に記載の金型。
［９３］  前記頂点部分が、第１の尖った部分を備える、［９２］に記載の金型。
［９４］  前記頂点部分が、第１の丸みを帯びた部分を備える、［９２］に記載の金型。
［９５］  前記頂点部分が、第１の平坦な部分を備える、［９２］に記載の金型。
［９６］  それぞれの谷底部が、最下点部分を備える、［９１］に記載の金型。
［９７］  前記最下点部分が、第２の尖った部分を備える、［９６］に記載の金型。
［９８］  前記最下点部分が、第２の丸みを帯びた部分を備える、［９６］に記載の金型。
［９９］  前記最下点部分が、第２の平坦な部分を備える、［９６］に記載の金型。
［１００］  それぞれのピーク部が、頂点部分を備え、それぞれの谷底部が、最下点部分を備える、［９１］に記載の金型。
［１０１］  前記頂点部分と前記最下点部分とが、同じプロファイルを備える、［１００］に記載の金型。
［１０２］  前記頂点部分と前記最下点部分とが、異なるプロファイルを備える、［１００］に記載の金型。
［１０３］  前記頂点部分が、第１の尖った部分を備える、［１００］〜［１０２］のいずれか一項に記載の金型。
［１０４］  前記頂点部分が、第１の丸みを帯びた部分を備える、［１００］〜［１０２］のいずれか一項に記載の金型。
［１０５］  前記頂点部分が、第１の平坦な部分を備える、［１００］〜［１０２］のいずれか一項に記載の金型。
［１０６］  前記最下点部分が、第２の尖った部分を備える、［１００］〜［１０５］のいずれか一項に記載の金型。
［１０７］  前記最下点部分が、第２の丸みを帯びた部分を備える、［１００］〜［１０５］のいずれか一項に記載の金型。
［１０８］  前記最下点部分が、第２の平坦な部分を備える、［１００］〜［１０５］のいずれか一項に記載の金型。
［１０９］  前記複数のピーク部部分の中のそれぞれのピーク部部分が、実質的に細長い、［９１］〜［１０８］のいずれか一項に記載の金型。
［１１０］  前記複数のピーク部部分が、互いに対して実質的に平行に配設されている、［１０９］に記載の金型。
［１１１］  前記複数の谷底部部分の中のそれぞれの谷底部部分が、実質的に細長い、［９１］〜［１０８］のいずれか一項に記載の金型。
［１１２］  前記複数のピーク部部分が、第１の一連の細長いピーク部部分と、第２の一連の細長いピーク部部分とを備え、前記第１の一連と前記第２の一連とが、互いに対して横断する方向に配設されている、［９１］〜［１０８］のいずれか一項に記載の金型。
［１１３］  前記複数のピーク部部分が、第１の一連の細長いピーク部部分と、第２の一連の細長いピーク部部分とを備え、前記第１の一連と前記第２の一連とが、互いに対して平行でないように配設されている、［９１］〜［１０８］のいずれか一項に記載の金型。
［１１４］  前記複数のピーク部部分が、第１の一連の細長いピーク部部分と、第２の一連の細長いピーク部部分とを備え、前記第１の一連と前記第２の一連とが、互いに対して直交して配設されている、［９１］〜［１０８］のいずれか一項に記載の金型。
［１１５］  前記複数の谷底部部分が、第１の一連の細長い谷底部部分と、第２の一連の細長い谷底部部分とを備え、前記第１の一連と前記第２の一連とが、互いに対して横断する方向に配設されている、［９１］〜［１０８］のいずれか一項に記載の金型。
［１１６］  前記複数の谷底部部分が、第１の一連の細長い谷底部部分と、第２の一連の細長い谷底部部分とを備え、前記第１の一連と前記第２の一連とが、互いに対して平行でないように配設されている、［９１］〜［１０８］のいずれか一項に記載の金型。
［１１７］  前記複数の谷底部部分が、第１の一連の細長い谷底部部分と、第２の一連の細長い谷底部部分とを備え、前記第１の一連と前記第２の一連とが、互いに対して直交して配設されている、［９１］〜［１０８］のいずれか一項に記載の金型。
［１１８］  前記複数のピーク部部分の中のそれぞれのピーク部部分が、実質的に細長く、前記複数の谷底部部分の中のそれぞれの谷底部部分が、実質的に細長い、［９１］〜［１０８］のいずれか一項に記載の金型。
［１１９］  前記複数のピーク部部分と前記複数の谷底部部分とが、実質的に平行な関係で配設されている、［１１８］に記載の金型。
［１２０］  前記複数のピーク部部分が、複数の実質的に直立した突出部に備えられる、［９１］〜［１０８］のいずれか一項に記載の金型。
［１２１］  それぞれの突出部の断面が、長方形を備える、［１２０］に記載の金型。
［１２２］  それぞれの突出部の断面が、台形を備える、［１２０］に記載の金型。
［１２３］  それぞれの突出部の断面が、左右対称的な台形を備える、［１２０］に記載の金型。
［１２４］  それぞれの突出部の断面が、オジーブ形状を備える、［１２０］に記載の金型。
［１２５］  隣接する突出部の断面が、スカラップ形状を備える、［１２０］に記載の金型。
［１２６］  隣接する突出部の間の谷底部部分の断面が、スカラップ形状を備える、［１２０］に記載の金型。
［１２７］  それぞれの突出部が、交差ボールトの形状を備える、［１２０］に記載の金型。
［１２８］  前記複数の突出部が、実質的に同じ形状を備える、［１２０］〜［１２７］のいずれか一項に記載の金型。
［１２９］  前記複数の突出部が、実質的に同じ寸法を備える、［１２０］〜［１２７］のいずれか一項に記載の金型。
［１３０］  前記複数の突出部が、実質的に同じ形状と同じ寸法とを備える、［１２０］〜［１２７］のいずれか一項に記載の金型。
［１３１］  前記複数の突出部が、異なる形状を備える、［１２０］〜［１２７］のいずれか一項に記載の金型。
［１３２］  前記複数の突出部が、異なる寸法を備える、［１２０］〜［１２７］のいずれか一項に記載の金型。
［１３３］  前記複数の突出部が、異なる形状と異なる寸法とを備える、［１２０］〜［１２７］のいずれか一項に記載の金型。
［１３４］  前記複数の突出部が、実質的に同じ形状と異なる寸法とを備える、［１２０］〜［１２７］のいずれか一項に記載の金型。
［１３５］  前記複数の突出部が、異なる形状と同じ寸法とを備える、［１２０］〜［１２７］のいずれか一項に記載の金型。
［１３６］  少なくとも２つの谷底部部分が、互いに接続されている、［９１］〜［１３５］のいずれか一項に記載の金型。
［１３７］  前記複数の谷底部部分が、互いに接続されている、［９１］〜［１３５］のいずれか一項に記載の金型。
［１３８］  少なくとも２つの谷底部部分が、互いから独立している、［９１］〜［１３５］のいずれか一項に記載の金型。
［１３９］  前記複数の谷底部部分が、互いから独立している、［９１］〜［１３５］のいずれか一項に記載の金型。
［１４０］  少なくとも２つのピーク部部分が、互いに接続されている、［９１］〜［１３５］のいずれか一項に記載の金型。
［１４１］  前記複数のピーク部部分が、互いに接続されている、［９１］〜［１３５］のいずれか一項に記載の金型。
［１４２］  少なくとも２つのピーク部部分が、互いから独立している、［９１］〜［１３５］のいずれか一項に記載の金型。
［１４３］  前記複数のピーク部部分が、互いから独立している、［９１］〜［１３５］のいずれか一項に記載の金型。
［１４４］  座席表面成形エレメントが、第１の刻み目のあるパターンを備える、［９１］〜［１４３］のいずれか一項に記載の金型。
［１４５］  座席表面成形エレメントが、第１の刻み目のあるパターンと、第２の刻み目のあるパターンとを備え、前記第１の刻み目のあるパターンと、前記第２の刻み目のあるパターンとが、互いに対して横断する関係で配設されている、［９１］〜［１４３］のいずれか一項に記載の金型。
［１４６］  座席表面成形エレメントが、第１の刻み目のあるパターンと、第２の刻み目のあるパターンとを備え、前記第１の刻み目のあるパターンと、前記第２の刻み目のあるパターンとが、互いに対して直交する関係で配設されている、［９１］〜［１４３］のいずれか一項に記載の金型。
［１４７］  座席表面成形エレメントが、第１の歯状パターンを備える、［９１］〜［１４３］のいずれか一項に記載の金型。
［１４８］  座席表面成形エレメントが、第１の歯状パターンと、第２の歯状パターンとを備え、前記第１の歯状パターンと、前記第２の歯状パターンとが、互いに対して横断する関係で配設されている、［９１］〜［１４３］のいずれか一項に記載の金型。
［１４９］  座席表面成形エレメントが、第１の歯状パターンと、第２の歯状パターンとを備え、前記第１の歯状パターンと、前記第２の歯状パターンとが、互いに対して直交する関係で配設されている、［９１］〜［１４３］のいずれか一項に記載の金型。
［１５０］  座席表面エレメントが、複数のセクションを備え、それぞれのセクションが、複数のピーク部部分と、複数の谷底部部分とを備える、［９１］〜［１４３］のいずれか一項に記載の金型。
［１５１］  それぞれのセクションの中の前記複数のピーク部部分が、同じである、［１５０］に記載の金型。
［１５２］  それぞれのセクションの中の前記複数の谷底部部分が、同じである、［１５０］に記載の金型。
［１５３］  それぞれのセクションの中の前記複数のピーク部部分、および、前記複数の谷底部部分が、同じである、［１５０］に記載の金型。
［１５４］  それぞれのセクションの中の前記複数のピーク部部分が、異なっている、［１５０］に記載の金型。
［１５５］  それぞれのセクションの中の前記複数の谷底部部分が、異なっている、［１５０］に記載の金型。
［１５６］  それぞれのセクションの中の前記複数のピーク部部分、および、前記複数の谷底部部分が、異なっている、［１５０］に記載の金型。
［１５７］  前記少なくとも１つのインサートエレメントが、前記第１の金型部分および前記第２の金型部分のうちの１つに付けられている、［９０］〜［１５６］のいずれか一項に記載の金型。
［１５８］  前記少なくとも１つのインサートエレメントが、前記第１の金型部分および前記第２の金型部分のうちの１つまたは両方に対して可動であり、前記成形されたエレメントの離型を容易にする、［９０］〜［１５７］のいずれか一項に記載の金型。
［１５９］  前記少なくとも１つのインサートエレメントが、前記第１の金型部分および前記第２の金型部分のうちの１つまたは両方に対して枢動自在に可動であり、前記成形されたエレメントの離型を容易にする、［９０］〜［１５７］のいずれか一項に記載の金型。
［１６０］  前記第１の金型部分が、蓋部であり、前記第２の金型部分が、ボウル部である、［９０］〜［１５６］のいずれか一項に記載の金型。
［１６１］  前記少なくとも１つのインサートエレメントが、前記ボウル部に付けられている、［１６０］に記載の金型。
［１６２］  前記少なくとも１つのインサートエレメントが、前記ボウル部に対して可動であり、前記成形されたエレメントの離型を容易にする、［１６１］に記載の金型。
［１６３］  前記少なくとも１つのインサートエレメントが、前記ボウル部に対して枢動自在に可動であり、前記成形されたエレメントの離型を容易にする、［１６１］に記載の金型。
［１６４］  前記金型が、複数のインサートエレメントを備え、それぞれのインサートエレメントが、テクスチャの付いた表面を備える、［９０］〜［１６３］のいずれか一項に記載の金型。
［１６５］  ［９０］〜［１６４］のいずれか一項に記載の前記金型の中で成形されるエレメントの生産のためのプロセスであって、
（ｉ）前記金型キャビティーの中に成形用組成物を注入するステップと、
（ｉｉ）前記少なくとも１つのインサートエレメントを前記成形用組成物で実質的に完全に取り囲むステップと、
（ｉｉ）前記成形用組成物を硬化させ、前記成形されたエレメントを生産するステップと
を備える、プロセス。
［１６６］  ［９０］〜［１６４］のいずれか一項に記載の前記金型の中で発泡させられるエレメントの生産のためのプロセスであって、
（ｉ）前記金型キャビティーの中に発泡性組成物を注入するステップと、
（ｉｉ）前記発泡性組成物を膨張させるステップと、
（ｉｉｉ）前記少なくとも１つのインサートエレメントを前記発泡性組成物で実質的に完全に取り囲むステップと
を備える、プロセス。
［１６７］  前記発泡性組成物が、液体である、［１６６］に記載のプロセス。
［１６８］  前記発泡性組成物が、発泡性のポリウレタン組成物を備える、［１６６］に記載のプロセス。
［１６９］  発泡させられる前記エレメントが、シートエレメントである、［１６６］〜［１６８］のいずれか一項に記載のプロセス。
［１７０］  前記発泡させられるエレメントが、車両用シート座部である、［１６６］〜［１６８］のいずれか一項に記載のプロセス。
［１７１］  前記発泡させられるエレメントが、車両用シート背部である、［１６６］〜［１６８］のいずれか一項に記載のプロセス。
【外国語明細書】
2018075366000001.pdf